(57)【要約】  ネットワークノードの制限付きグループにおいて１つまたは複数のデバイスのためのインバンドプロビジョニングを実行することを可能にする方法および装置を提供する。制限付きグループにおいてプロビジョニングを実行することに関係するパケットデータコンテキストが制限付きグループノードを介してデバイスとネットワークとの間に確立され得る。デバイスは、パケットデータコンテキストを使用して制限付きグループにおいてプロビジョニングを要求することができ、ネットワークはプロビジョニングを実行することができる。パケットデータコンテキストは、プロビジョニングが完了するまで他の通信を拒否しながら、プロビジョニングに関係する通信を可能にするためにアクセスを制限することができる。
2013520093.tif 000002
【特許請求の範囲】
【請求項１】
インバンド限定加入者グループ（ＣＳＧ）プロビジョニングを可能にするための方法であって、
アクセスポイント名のためのパケットデータコンテキストを確立したいという要求をデバイスから受信することと、
前記要求に基づいて前記デバイスがＣＳＧプロビジョニングを要求していると判断することと、
前記アクセスポイント名に少なくとも部分的に基づいて前記パケットデータコンテキストを確立するためのゲートウェイを選択することと、
前記デバイスのための前記パケットデータコンテキストを確立するために前記ゲートウェイにセッション要求メッセージを送ることと
を備える、方法。
【請求項２】
前記デバイスがＣＳＧプロビジョニングを要求していると前記判断することが、前記要求中に含まれる指示に少なくとも部分的に基づく、請求項１に記載の方法。
【請求項３】
前記デバイスがＣＳＧプロビジョニングを要求していると前記判断することは、前記アクセスポイント名がＣＳＧプロビジョニングに関連すると判断することに少なくとも部分的に基づく、請求項１に記載の方法。
【請求項４】
前記ゲートウェイを前記選択することが、前記アクセスポイント名に関係する前記ゲートウェイのインターネットプロトコル（ＩＰ）アドレスを取得することを備える、請求項１に記載の方法。
【請求項５】
前記ゲートウェイの前記ＩＰアドレスを前記取得することが、ドメインネームサーバ（ＤＮＳ）サーバを用いて前記ゲートウェイについてのＤＮＳクエリを実行することにさらに少なくとも部分的に基づく、請求項４に記載の方法。
【請求項６】
前記セッション要求メッセージが、前記パケットデータコンテキストをパケットデータプロトコルコンテキストとして確立するために採用されるパケットデータプロトコルコンテキスト生成要求メッセージ、または前記パケットデータコンテキストをパケットデータネットワーク接続として確立するために採用されるセッション生成要求メッセージのいずれかを備える、請求項１に記載の方法。
【請求項７】
前記デバイスから前記要求を前記受信することに少なくとも部分的に基づいて、前記ゲートウェイ以外の１つまたは複数の異なるゲートウェイへのアクセスを非活動化することをさらに備える、請求項１に記載の方法。
【請求項８】
前記ゲートウェイにおいて許可されるトラフィックを制御するために前記デバイスがＣＳＧにおいてプロビジョニングされていることを前記ゲートウェイに示すことをさらに備える、請求項１に記載の方法。
【請求項９】
前記パケットデータコンテキストの確立を示す応答メッセージを前記ゲートウェイから受信することをさらに備える、請求項１に記載の方法。
【請求項１０】
前記要求に少なくとも部分的に基づいて前記ゲートウェイと前記デバイスのためのＣＳＧアクセスポイントとの間にトンネルを確立することと、
前記パケットデータコンテキストを前記トンネルに関連付けることと
をさらに備える、請求項９に記載の方法。
【請求項１１】
前記デバイスのホーム加入者サーバまたはホームロケーションレジスタからの前記ＣＳＧを含めるために、前記デバイスのサブスクリプションを更新することに関係するサブスクリプションデータを受信することをさらに備える、請求項１に記載の方法。
【請求項１２】
前記サブスクリプションデータを前記受信することに少なくとも部分的に基づいて前記パケットデータコンテキストを非活動化することをさらに備える、請求項１１に記載の方法。
【請求項１３】
インバンド限定加入者グループ（ＣＳＧ）プロビジョニングを可能にするための装置であって、
アクセスポイント名のためのパケットデータコンテキストを確立したいという要求をデバイスから受信することと、
前記要求に基づいて前記デバイスがＣＳＧプロビジョニングを要求していると判断することと、
前記アクセスポイント名に少なくとも部分的に基づいて前記パケットデータコンテキストを確立するためのゲートウェイを選択することと、
前記デバイスのための前記パケットデータコンテキストを確立するために前記ゲートウェイにセッション要求メッセージを送ることと
を行うように構成された少なくとも１つのプロセッサと、
前記少なくとも１つのプロセッサに結合されたメモリと
を備える、装置。
【請求項１４】
前記少なくとも１つのプロセッサは、前記要求中に含まれる指示に少なくとも部分的に基づいて前記デバイスがＣＳＧプロビジョニングを要求していると判断する、請求項１３に記載の装置。
【請求項１５】
前記少なくとも１つのプロセッサは、前記アクセスポイント名がＣＳＧプロビジョニングに関連すると判断することに少なくとも部分的に基づいて前記デバイスがＣＳＧプロビジョニングを要求していると判断する、請求項１３に記載の装置。
【請求項１６】
前記少なくとも１つのプロセッサが、前記アクセスポイント名に関係する前記ゲートウェイのインターネットプロトコル（ＩＰ）アドレスを取得することに少なくとも部分的に基づいて前記ゲートウェイを選択する、請求項１３に記載の装置。
【請求項１７】
前記少なくとも１つのプロセッサが、ドメインネームサーバ（ＤＮＳ）サーバを用いて前記ゲートウェイについてのＤＮＳクエリを実行することに少なくとも部分的に基づいて前記ゲートウェイの前記ＩＰアドレスを取得する、請求項１６に記載の装置。
【請求項１８】
前記セッション要求メッセージが、前記パケットデータコンテキストをパケットデータプロトコルコンテキストとして確立するために採用されるパケットデータプロトコルコンテキスト生成要求メッセージ、または前記パケットデータコンテキストをパケットデータネットワーク接続として確立するために採用されるセッション生成要求メッセージを備える、請求項１３に記載の装置。
【請求項１９】
前記少なくとも１つのプロセッサが、前記要求に少なくとも部分的に基づいて、前記ゲートウェイ以外の１つまたは複数の異なるゲートウェイへのアクセスを非活動化するようにさらに構成された、請求項１３に記載の装置。
【請求項２０】
前記少なくとも１つのプロセッサは、前記ゲートウェイにおいて許可されるトラフィックを制御するために前記デバイスがＣＳＧにおいてプロビジョニングされていることを前記ゲートウェイに示すようにさらに構成された、請求項１３に記載の装置。
【請求項２１】
前記少なくとも１つのプロセッサが、前記パケットデータコンテキストの確立を示す応答メッセージを前記ゲートウェイから受信するようにさらに構成された、請求項１３に記載の装置。
【請求項２２】
前記少なくとも１つのプロセッサが、
前記要求に少なくとも部分的に基づいて前記ゲートウェイと前記デバイスのためのＣＳＧアクセスポイントとの間にトンネルを確立することと、
前記パケットデータコンテキストを前記トンネルに関連付けることと
を行うようにさらに構成された、請求項２１に記載の装置。
【請求項２３】
前記少なくとも１つのプロセッサが、前記デバイスのホーム加入者サーバまたはホームロケーションレジスタからの前記ＣＳＧを含めるために、前記デバイスのサブスクリプションを更新することに関係するサブスクリプションデータを受信するようにさらに構成された、請求項１３に記載の装置。
【請求項２４】
前記少なくとも１つのプロセッサが、前記サブスクリプションデータを前記受信することに少なくとも部分的に基づいて前記パケットデータコンテキストを非活動化するようにさらに構成された、請求項２３に記載の装置。
【請求項２５】
インバンド限定加入者グループ（ＣＳＧ）プロビジョニングを可能にするための装置であって、
アクセスポイント名のためのパケットデータコンテキストを確立したいという前記デバイスからの要求に基づいてデバイスがＣＳＧプロビジョニングを要求していると判断するための手段と、
前記アクセスポイント名に少なくとも部分的に基づいて前記パケットデータコンテキストを確立するためのゲートウェイを選択するための手段と、
前記デバイスのための前記パケットデータコンテキストを確立するために前記ゲートウェイにセッション要求メッセージを送るための手段と
を備える、装置。
【請求項２６】
判断するための前記手段は、前記要求中に含まれる指示に少なくとも部分的に基づいて前記デバイスがＣＳＧプロビジョニングを要求していると判断する、請求項２５に記載の装置。
【請求項２７】
判断するための前記手段は、前記アクセスポイント名がＣＳＧプロビジョニングに関連すると判断することに少なくとも部分的に基づいて前記デバイスがＣＳＧプロビジョニングを要求していると判断する、請求項２５に記載の装置。
【請求項２８】
前記ゲートウェイを選択するための前記手段が、前記アクセスポイント名に関係する前記ゲートウェイのインターネットプロトコル（ＩＰ）アドレスを取得する、請求項２５に記載の装置。
【請求項２９】
前記ゲートウェイを選択するための前記手段が、ドメインネームサーバ（ＤＮＳ）サーバを用いて前記ゲートウェイについてのＤＮＳクエリを実行することにさらに少なくとも部分的に基づいて前記ゲートウェイの前記ＩＰアドレスを取得する、請求項２８に記載の装置。
【請求項３０】
前記セッション要求メッセージが、前記パケットデータコンテキストをパケットデータプロトコルコンテキストとして確立するために採用されるパケットデータプロトコルコンテキスト生成要求メッセージ、または前記パケットデータコンテキストをパケットデータネットワーク接続として確立するために採用されるセッション生成要求メッセージを備える、請求項２５に記載の装置。
【請求項３１】
前記ゲートウェイを選択するための前記手段が、前記デバイスから前記要求を前記受信することに少なくとも部分的に基づいて、前記ゲートウェイ以外の１つまたは複数の異なるゲートウェイへのアクセスを非活動化する、請求項２５に記載の装置。
【請求項３２】
前記セッション要求メッセージを送るための前記手段は、前記ゲートウェイにおいて許可されるトラフィックを制御するために前記デバイスがＣＳＧにおいてプロビジョニングされていることを前記ゲートウェイに示す、請求項２５に記載の装置。
【請求項３３】
前記セッション要求メッセージを送るための前記手段が、前記パケットデータコンテキストの確立を示す応答メッセージを前記ゲートウェイから受信する、請求項２５に記載の装置。
【請求項３４】
前記セッション要求メッセージを送るための前記手段が、前記要求に少なくとも部分的に基づいて前記ゲートウェイと前記デバイスのためのＣＳＧアクセスポイントとの間にトンネルを確立し、前記パケットデータコンテキストを前記トンネルに関連付ける、請求項３３に記載の装置。
【請求項３５】
前記デバイスのホーム加入者サーバまたはホームロケーションレジスタからの前記ＣＳＧを含めるために、前記デバイスのサブスクリプションを更新することに関係するサブスクリプションデータを受信するための手段をさらに備える、請求項２５に記載の装置。
【請求項３６】
前記セッション要求メッセージを送るための前記手段が、前記サブスクリプションデータを受信するための前記手段に少なくとも部分的に基づいて前記パケットデータコンテキストを非活動化する、請求項３５に記載の装置。
【請求項３７】
インバンド限定加入者グループ（ＣＳＧ）プロビジョニングを可能にするためのコンピュータプログラム製品であって、
少なくとも１つのコンピュータに、アクセスポイント名のためのパケットデータコンテキストを確立したいという要求をデバイスから受信させるためのコードと、
前記少なくとも１つのコンピュータに、前記要求に基づいて前記デバイスがＣＳＧプロビジョニングを要求していると判断させるためのコードと、
前記少なくとも１つのコンピュータに、前記アクセスポイント名に少なくとも部分的に基づいて前記パケットデータコンテキストを確立するためのゲートウェイを選択させるためのコードと、
前記少なくとも１つのコンピュータに、前記デバイスのための前記パケットデータコンテキストを確立するために前記ゲートウェイにセッション要求メッセージを送らせるためのコードと
を備える、コンピュータ可読媒体
を備える、コンピュータプログラム製品。
【請求項３８】
前記少なくとも１つのコンピュータに判断させるため前記コードは、前記要求中に含まれる指示に少なくとも部分的に基づいて前記デバイスがＣＳＧプロビジョニングを要求していると判断する、請求項３７に記載のコンピュータプログラム製品。
【請求項３９】
前記少なくとも１つのコンピュータに判断させるための前記コードは、前記アクセスポイント名がＣＳＧプロビジョニングに関連すると判断することに少なくとも部分的に基づいて前記デバイスがＣＳＧプロビジョニングを要求していると判断する、請求項３７に記載のコンピュータプログラム製品。
【請求項４０】
前記少なくとも１つのコンピュータに選択させるための前記コードが、前記アクセスポイント名に関係する前記ゲートウェイのインターネットプロトコル（ＩＰ）アドレスを取得することに少なくとも部分的に基づいて前記ゲートウェイを選択する、請求項３７に記載のコンピュータプログラム製品。
【請求項４１】
前記少なくとも１つのコンピュータに選択させるための前記コードが、ドメインネームサーバ（ＤＮＳ）サーバを用いて前記ゲートウェイについてのＤＮＳクエリを実行することに少なくとも部分的に基づいて前記ゲートウェイの前記ＩＰアドレスを取得する、請求項４０に記載のコンピュータプログラム製品。
【請求項４２】
前記セッション要求メッセージが、前記パケットデータコンテキストをパケットデータプロトコルコンテキストとして確立するために採用されるパケットデータプロトコルコンテキスト生成要求メッセージ、または前記パケットデータコンテキストをパケットデータネットワーク接続として確立するために採用されるセッション生成要求メッセージを備える、請求項３７に記載のコンピュータプログラム製品。
【請求項４３】
前記コンピュータ可読媒体が、前記少なくとも１つのコンピュータに、前記要求に少なくとも部分的に基づいて前記ゲートウェイ以外の１つまたは複数の異なるゲートウェイへのアクセスを非活動化させるためのコードをさらに備える、請求項３７に記載のコンピュータプログラム製品。
【請求項４４】
前記コンピュータ可読媒体が、前記少なくとも１つのコンピュータに、前記ゲートウェイにおいて許可されるトラフィックを制御するために前記デバイスがＣＳＧにおいてプロビジョニングされていることを前記ゲートウェイに示させるためのコードをさらに備える、請求項３７に記載のコンピュータプログラム製品。
【請求項４５】
前記コンピュータ可読媒体が、前記少なくとも１つのコンピュータに、前記パケットデータコンテキストの確立を示す応答メッセージを前記ゲートウェイから受信させるためのコードをさらに備える、請求項３７に記載のコンピュータプログラム製品。
【請求項４６】
前記コンピュータ可読媒体が、
前記少なくとも１つのコンピュータに、前記要求に少なくとも部分的に基づいて前記ゲートウェイと前記デバイスのためのＣＳＧアクセスポイントとの間にトンネルを確立させるためのコードと、
前記少なくとも１つのコンピュータに、前記パケットデータコンテキストを前記トンネルに関連付けさせるためのコードと
をさらに備える、請求項４５に記載のコンピュータプログラム製品。
【請求項４７】
前記コンピュータ可読媒体が、前記少なくとも１つのコンピュータに、前記デバイスのホーム加入者サーバまたはホームロケーションレジスタからの前記ＣＳＧを含めるために、前記デバイスのサブスクリプションを更新することに関係するサブスクリプションデータを受信させるためのコードをさらに備える、請求項３７に記載のコンピュータプログラム製品。
【請求項４８】
前記コンピュータ可読媒体が、前記少なくとも１つのコンピュータに、前記サブスクリプションデータを前記受信することに少なくとも部分的に基づいて前記パケットデータコンテキストを非活動化させるためのコードをさらに備える、請求項４７に記載のコンピュータプログラム製品。
【請求項４９】
インバンド限定加入者グループ（ＣＳＧ）プロビジョニングを可能にするための装置であって、
アクセスポイント名のためのパケットデータコンテキストを確立したいという前記デバイスからの要求に基づいてデバイスがＣＳＧプロビジョニングを要求していると判断するためのプロビジョニングサポート指示構成要素と、
前記アクセスポイント名に少なくとも部分的に基づいて前記パケットデータコンテキストを確立するためのゲートウェイを選択するためのゲートウェイ選択構成要素と、
前記デバイスのための前記パケットデータコンテキストを確立するために前記ゲートウェイにセッション要求メッセージを送るためのパケットデータコンテキスト確立構成要素と
を備える、装置。
【請求項５０】
前記プロビジョニングサポート指示構成要素は、前記要求中に含まれる指示に少なくとも部分的に基づいて前記デバイスがＣＳＧプロビジョニングを要求していると判断する、請求項４９に記載の装置。
【請求項５１】
前記プロビジョニングサポート指示構成要素は、前記アクセスポイント名がＣＳＧプロビジョニングに関連すると判断することに少なくとも部分的に基づいて前記デバイスがＣＳＧプロビジョニングを要求していると判断する、請求項４９に記載の装置。
【請求項５２】
前記ゲートウェイ選択構成要素が、前記アクセスポイント名に関係する前記ゲートウェイのインターネットプロトコル（ＩＰ）アドレスを取得する、請求項４９に記載の装置。
【請求項５３】
前記ゲートウェイ選択構成要素が、ドメインネームサーバ（ＤＮＳ）サーバを用いて前記ゲートウェイについてのＤＮＳクエリを実行することにさらに少なくとも部分的に基づいて前記ゲートウェイの前記ＩＰアドレスを取得する、請求項５２に記載の装置。
【請求項５４】
前記セッション要求メッセージが、前記パケットデータコンテキストをパケットデータプロトコルコンテキストとして確立するために採用されるパケットデータプロトコルコンテキスト生成要求メッセージ、または前記パケットデータコンテキストをパケットデータネットワーク接続として確立するために採用されるセッション生成要求メッセージを備える、請求項４９に記載の装置。
【請求項５５】
前記ゲートウェイ選択構成要素が、前記デバイスから前記要求を前記受信することに少なくとも部分的に基づいて、前記ゲートウェイ以外の１つまたは複数の異なるゲートウェイへのアクセスを非活動化する、請求項４９に記載の装置。
【請求項５６】
前記パケットデータコンテキスト確立構成要素は、前記ゲートウェイにおいて許可されるトラフィックを制御するために前記デバイスがＣＳＧにおいてプロビジョニングされていることを前記ゲートウェイに示す、請求項４９に記載の装置。
【請求項５７】
前記パケットデータコンテキスト確立構成要素が、前記パケットデータコンテキストの確立を示す応答メッセージを前記ゲートウェイから受信する、請求項４９に記載の方法。
【請求項５８】
前記パケットデータコンテキスト確立構成要素が、前記要求に少なくとも部分的に基づいて前記ゲートウェイと前記デバイスのためのＣＳＧアクセスポイントとの間にトンネルを確立し、前記パケットデータコンテキストを前記トンネルに関連付ける、請求項５７に記載の装置。
【請求項５９】
前記デバイスのホーム加入者サーバまたはホームロケーションレジスタからの前記ＣＳＧを含めるために、前記デバイスのサブスクリプションを更新することに関係するサブスクリプションデータを受信するためのＣＳＧサブスクリプション構成要素をさらに備える、請求項４９に記載の装置。
【請求項６０】
前記パケットデータコンテキスト確立構成要素が、前記サブスクリプションデータを受信するための前記手段に少なくとも部分的に基づいて前記パケットデータコンテキストを非活動化する、請求項５９に記載の装置。
【請求項６１】
限定加入者グループ（ＣＳＧ）をプロビジョニングするための方法であって、
ＣＳＧのプロビジョニングがサポートされるという指示を受信することと、
ＣＳＧプロビジョニングのための異なる指示を含むアクセスポイント名のためのパケットデータコンテキストを確立したいという要求を送信することと
を備える、方法。
【請求項６２】
前記異なる指示が、前記アクセスポイント名であるか、またはＣＳＧプロビジョニングを示す別個のパラメータである、請求項６１に記載の方法。
【請求項６３】
前記パケットデータコンテキストを使用してＣＳＧアドミニストレーションサーバにおいて前記ＣＳＧプロビジョニングを開始することをさらに備える、請求項６１に記載の方法。
【請求項６４】
前記ＣＳＧプロビジョニングを前記開始することが、ユーザインターフェースから前記ＣＳＧアドミニストレーションサーバにデータを与えることを備える、請求項６３に記載の方法。
【請求項６５】
前記データが、契約条件、課金情報、またはログイン情報への同意のインジケータを備える、請求項６４に記載の方法。
【請求項６６】
限定加入者グループ（ＣＳＧ）をプロビジョニングするための装置であって、
ＣＳＧのプロビジョニングがサポートされるという指示を受信することと、
ＣＳＧプロビジョニングのための異なる指示を含むアクセスポイント名のためのパケットデータコンテキストを確立したいという要求を送信することと
を行うように構成された少なくとも１つのプロセッサと、
前記少なくとも１つのプロセッサに結合されたメモリと
を備える、装置。
【請求項６７】
前記異なる指示が、前記アクセスポイント名であるか、またはＣＳＧプロビジョニングを示す別個のパラメータである、請求項６６に記載の装置。
【請求項６８】
前記少なくとも１つのプロセッサが、前記パケットデータコンテキストを使用してＣＳＧアドミニストレーションサーバにおいて前記ＣＳＧプロビジョニングを開始するようにさらに構成された、請求項６６に記載の装置。
【請求項６９】
前記少なくとも１つのプロセッサが、ユーザインターフェースから前記ＣＳＧアドミニストレーションサーバにデータを与えることに少なくとも部分的によって前記ＣＳＧプロビジョニングを開始する、請求項６８に記載の装置。
【請求項７０】
前記データが、契約条件、課金情報、またはログイン情報への同意のインジケータを備える、請求項６９に記載の装置。
【請求項７１】
限定加入者グループ（ＣＳＧ）をプロビジョニングするための装置であって、
ＣＳＧのプロビジョニングがサポートされるという指示を受信するための手段と、
ＣＳＧプロビジョニングのための異なる指示を含むアクセスポイント名のためのパケットデータコンテキストを確立したいという要求を送信するための手段と
を備える、装置。
【請求項７２】
前記異なる指示が、前記アクセスポイント名であるか、またはＣＳＧプロビジョニングを示す別個のパラメータである、請求項７１に記載の装置。
【請求項７３】
前記パケットデータコンテキストを使用してＣＳＧアドミニストレーションサーバにおいて前記ＣＳＧプロビジョニングを開始するための手段をさらに備える、請求項７１に記載の装置。
【請求項７４】
前記ＣＳＧプロビジョニングを開始するための前記手段が、ユーザインターフェースから前記ＣＳＧアドミニストレーションサーバにデータを与える、請求項７３に記載の装置。
【請求項７５】
前記データが、契約条件、課金情報、またはログイン情報への同意のインジケータを備える、請求項７４に記載の装置。
【請求項７６】
限定加入者グループ（ＣＳＧ）をプロビジョニングするためのコンピュータプログラム製品であって、
少なくとも１つのコンピュータに、ＣＳＧのプロビジョニングがサポートされるという指示を受信させるためのコードと、
前記少なくとも１つのコンピュータに、ＣＳＧプロビジョニングのための異なる指示を含むアクセスポイント名のためのパケットデータコンテキストを確立したいという要求を送信させるためのコードと
を備える、コンピュータ可読媒体
を備える、コンピュータプログラム製品
【請求項７７】
前記異なる指示が、前記アクセスポイント名であるか、またはＣＳＧプロビジョニングを示す別個のパラメータである、請求項７６に記載のコンピュータプログラム製品。
【請求項７８】
前記コンピュータ可読媒体が、前記少なくとも１つのコンピュータに、前記パケットデータコンテキストを使用してＣＳＧアドミニストレーションサーバにおいて前記ＣＳＧプロビジョニングを開始させるためのコードをさらに備える、請求項７６に記載のコンピュータプログラム製品。
【請求項７９】
前記少なくとも１つのコンピュータに開始させるための前記コードが、ユーザインターフェースから前記ＣＳＧアドミニストレーションサーバにデータを与えることに少なくとも部分的によって前記ＣＳＧプロビジョニングを開始する、請求項７８に記載のコンピュータプログラム製品。
【請求項８０】
前記データが、契約条件、課金情報、またはログイン情報への同意のインジケータを備える、請求項７９に記載のコンピュータプログラム製品。
【請求項８１】
限定加入者グループ（ＣＳＧ）をプロビジョニングするための装置であって、
ＣＳＧのプロビジョニングがサポートされるという指示を受信するためのプロビジョニングサポート判断構成要素と、
ＣＳＧプロビジョニングのための異なる指示を含むアクセスポイント名のためのパケットデータコンテキストを確立したいという要求を送信するためのパケットデータコンテキスト要求構成要素と
を備える、装置。
【請求項８２】
前記異なる指示が、前記アクセスポイント名であるか、またはＣＳＧプロビジョニングを示す別個のパラメータである、請求項８１に記載の装置。
【請求項８３】
前記パケットデータコンテキストを使用してＣＳＧアドミニストレーションサーバにおいて前記ＣＳＧプロビジョニングを開始するためのＣＳＧプロビジョニング構成要素をさらに備える、請求項８１に記載の装置。
【請求項８４】
前記ＣＳＧプロビジョニング構成要素が、ユーザインターフェースから前記ＣＳＧアドミニストレーションサーバにデータを与える、請求項８３に記載の装置。
【請求項８５】
前記データが、契約条件、課金情報、またはログイン情報への同意のインジケータを備える、請求項８４に記載の装置。
【請求項８６】
限定加入者グループ（ＣＳＧ）をプロビジョニングするための方法であって、
デバイスにおいてＣＳＧプロビジョニングのためのパケットデータコンテキストを確立するためにセッション要求メッセージを受信することと、
前記パケットデータコンテキストの確立を示す応答メッセージを送ることと、
前記パケットデータコンテキストに関係する１つまたは複数のパケットがＣＳＧプロビジョニングに関係するかどうかを判断することに少なくとも部分的に基づいて、前記１つまたは複数のパケットをフィルタリングすることと
を備える、方法。
【請求項８７】
前記セッション要求メッセージが、パケットデータネットワーク接続を確立するために採用されるセッション生成要求メッセージ、またはパケットデータプロトコルコンテキストを確立するために採用されるパケットデータプロトコルコンテキスト生成要求メッセージを備える、請求項８６に記載の方法。
【請求項８８】
前記応答メッセージが、パケットデータネットワーク接続を確立するために採用されるセッション生成応答メッセージ、またはパケットデータプロトコルコンテキストを確立するために採用されるパケットデータプロトコルコンテキスト生成応答メッセージを備える、請求項８６に記載の方法。
【請求項８９】
前記フィルタリングは、前記１つまたは複数のパケットがＣＳＧアドミニストレーションサーバにアドレス指定されているかどうかを判断することに少なくとも部分的に基づく、請求項８６に記載の方法。
【請求項９０】
前記パケットデータコンテキストが確立されたときにタイマーを開始することと、
前記タイマーの満了に少なくとも部分的に基づいて前記パケットデータコンテキストを非活動化することと
をさらに備える、請求項８６に記載の方法。
【請求項９１】
限定加入者グループ（ＣＳＧ）をプロビジョニングするための装置であって、
デバイスにおいてＣＳＧプロビジョニングのためのパケットデータコンテキストを確立するためにセッション要求メッセージを受信することと、
前記パケットデータコンテキストの確立を示す応答メッセージを送ることと、
前記１つまたは複数のパケットがＣＳＧプロビジョニングに関係するかどうかを判断することに少なくとも部分的に基づいて、前記デバイスに関連する１つまたは複数のパケットをフィルタリングすることと
を行うように構成された少なくとも１つのプロセッサと、
前記少なくとも１つのプロセッサに結合されたメモリと
を備える、装置。
【請求項９２】
前記応答メッセージが、パケットデータネットワーク接続を確立するために採用されるセッション生成応答メッセージ、またはパケットデータプロトコルコンテキストを確立するために採用されるパケットデータプロトコルコンテキスト生成応答メッセージを備える、請求項９１に記載の装置。
【請求項９３】
前記セッション要求メッセージが、パケットデータネットワーク接続を確立するために採用されるセッション生成要求メッセージ、またはパケットデータプロトコルコンテキストを確立するために採用されるパケットデータプロトコルコンテキスト生成要求メッセージを備える、請求項９１に記載の装置。
【請求項９４】
前記少なくとも１つのプロセッサは、前記１つまたは複数のパケットがＣＳＧアドミニストレーションサーバにアドレス指定されているかどうかを判断することに少なくとも部分的に基づいてフィルタリングする、請求項９１に記載の装置。
【請求項９５】
前記少なくとも１つのプロセッサが、
前記パケットデータコンテキストが確立されたときにタイマーを開始することと、
前記タイマーの満了に少なくとも部分的に基づいて前記パケットデータコンテキストを非活動化することと
を行うようにさらに構成された、請求項９１に記載の装置。
【請求項９６】
限定加入者グループ（ＣＳＧ）をプロビジョニングするための装置であって、
デバイスにおいてＣＳＧプロビジョニングのためのパケットデータコンテキストを確立するためにセッション要求メッセージを受信し、前記パケットデータコンテキストの確立を示す応答メッセージを送るための手段と、
前記１つまたは複数のパケットがＣＳＧプロビジョニングに関係するかどうかを判断することに少なくとも部分的に基づいて、前記デバイスに関連する１つまたは複数のパケットをフィルタリングするための手段と
を備える、装置。
【請求項９７】
前記応答メッセージが、パケットデータネットワーク接続を確立するために採用されるセッション生成応答メッセージ、またはパケットデータプロトコルコンテキストを確立するために採用されるパケットデータプロトコルコンテキスト生成応答メッセージを備える、請求項９６に記載の装置。
【請求項９８】
前記セッション要求メッセージが、パケットデータネットワーク接続を確立するために採用されるセッション生成要求メッセージ、またはパケットデータプロトコルコンテキストを確立するために採用されるパケットデータプロトコルコンテキスト生成要求メッセージを備える、請求項９６に記載の装置。
【請求項９９】
フィルタリングするための前記手段は、前記１つまたは複数のパケットがＣＳＧアドミニストレーションサーバにアドレス指定されているかどうかを判断することに少なくとも部分的に基づいて前記１つまたは複数のパケットをフィルタリングする、請求項９６に記載の装置。
【請求項１００】
受信するための前記手段が、さらに、前記応答メッセージを送ることの一部としてタイマーを開始し、前記タイマーの満了に少なくとも部分的に基づいて前記パケットデータコンテキストを非活動化する、請求項９６に記載の装置。
【請求項１０１】
限定加入者グループ（ＣＳＧ）をプロビジョニングするためのコンピュータプログラム製品であって、
少なくとも１つのコンピュータに、デバイスにおいてＣＳＧプロビジョニングのためのパケットデータコンテキストを確立するためにセッション要求メッセージを受信させるためのコードと、
前記少なくとも１つのコンピュータに、前記パケットデータコンテキストの確立を示す応答メッセージを送らせるためのコードと、
前記少なくとも１つのコンピュータに、前記１つまたは複数のパケットがＣＳＧプロビジョニングに関係するかどうかを判断することに少なくとも部分的に基づいて、前記デバイスに関連する１つまたは複数のパケットをフィルタリングさせるためのコードと
を備える、コンピュータ可読媒体
を備える、コンピュータプログラム製品。
【請求項１０２】
前記応答メッセージが、パケットデータネットワーク接続を確立するために採用されるセッション生成応答メッセージ、またはパケットデータプロトコルコンテキストを確立するために採用されるパケットデータプロトコルコンテキスト生成応答メッセージを備える、請求項１０１に記載のコンピュータプログラム製品。
【請求項１０３】
前記セッション要求メッセージが、パケットデータネットワーク接続を確立するために採用されるセッション生成要求メッセージ、またはパケットデータプロトコルコンテキストを確立するために採用されるパケットデータプロトコルコンテキスト生成要求メッセージを備える、請求項１０１に記載のコンピュータプログラム製品。
【請求項１０４】
前記少なくとも１つのプロセッサにフィルタリングさせるための前記コードは、前記１つまたは複数のパケットがＣＳＧアドミニストレーションサーバにアドレス指定されているかどうかを判断することに少なくとも部分的に基づいてフィルタリングする、請求項１０１に記載のコンピュータプログラム製品。
【請求項１０５】
前記コンピュータ可読媒体が、
前記少なくとも１つのコンピュータに、前記パケットデータコンテキストが確立されたときにタイマーを開始させるためのコードと、
前記少なくとも１つのコンピュータに、前記タイマーの満了に少なくとも部分的に基づいて前記パケットデータコンテキストを非活動化させるためのコードと
をさらに備える、請求項１０１に記載のコンピュータプログラム製品。
【請求項１０６】
限定加入者グループ（ＣＳＧ）をプロビジョニングするための装置であって、
デバイスにおいてＣＳＧプロビジョニングのためのパケットデータコンテキストを確立するためにセッション要求メッセージを受信し、前記パケットデータコンテキストの確立を示す応答メッセージを送るためのパケットデータコンテキスト確立構成要素と、
前記１つまたは複数のパケットがＣＳＧプロビジョニングに関係するかどうかを判断することに少なくとも部分的に基づいて、前記デバイスに関連する１つまたは複数のパケットをフィルタリングするためのパケットフィルタリング構成要素と
を備える、装置。
【請求項１０７】
前記応答メッセージが、パケットデータネットワーク接続を確立するために採用されるセッション生成応答メッセージ、またはパケットデータプロトコルコンテキストを確立するために採用されるパケットデータプロトコルコンテキスト生成応答メッセージを備える、請求項１０６に記載の装置。
【請求項１０８】
前記セッション要求メッセージが、パケットデータネットワーク接続を確立するために採用されるセッション生成要求メッセージ、またはパケットデータプロトコルコンテキストを確立するために採用されるパケットデータプロトコルコンテキスト生成要求メッセージを備える、請求項１０６に記載の装置。
【請求項１０９】
前記パケットフィルタリング構成要素は、前記１つまたは複数のパケットがＣＳＧアドミニストレーションサーバにアドレス指定されているかどうかを判断することに少なくとも部分的に基づいて前記１つまたは複数のパケットをフィルタリングする、請求項１０６に記載の装置。
【請求項１１０】
前記パケットデータコンテキスト確立構成要素が、さらに、前記応答メッセージを送ることの一部としてタイマーを開始し、前記タイマーの満了に少なくとも部分的に基づいて前記パケットデータコンテキストを非活動化する、請求項１０６に記載の装置。
【発明の詳細な説明】
【優先権の主張】
【０００１】
米国特許法第１１９条に基づく優先権の主張
本特許出願は、本出願の譲受人に譲渡され、参照により本明細書に明確に組み込まれる、２０１０年２月１０日に出願された「Method and Apparatus to Enable Provisioning of a User at a Closed Subscriber Group」と題する仮出願第６１／３０３，２４７号の優先権を主張する。
【技術分野】
【０００２】
以下の説明は、一般にワイヤレスネットワーク通信に関し、より詳細には、限定加入者グループ（ＣＳＧ：closed subscriber group）のノードと通信することに関する。
【背景技術】
【０００３】
ワイヤレス通信システムは、たとえば、ボイス、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、第３世代パートナーシッププロジェクト（３ＧＰＰ）、３ＧＰＰロングタームエボリューション（ＬＴＥ）、ウルトラモバイルブロードバンド（ＵＭＢ）、エボリューションデータオプティマイズド（ＥＶ−ＤＯ）などの規格に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは他のモバイルデバイスと（および／または基地局は他の基地局と）通信することができる。
【０００５】
従来の基地局を補うために、追加の基地局を展開して、よりロバストなワイヤレスカバレージをモバイルユニットに与え得る。たとえば、増分キャパシティの増大、よりリッチなユーザエクスペリエンス、屋内または他の特定の地理的カバレージなどのために、（たとえば、一般に、アクセスポイント基地局、ホームノードＢまたはホーム発展型ノードＢ（Ｈ（ｅ）ＮＢ）、フェムトアクセスポイント、フェムトセル、ピコセル、マイクロセルなどと呼ばれる）ワイヤレス中継局および低電力基地局が展開され得る。いくつかの構成では、そのような低電力基地局は、ブロードバンド接続（たとえば、デジタル加入者回線（ＤＳＬ）ルータ、ケーブルまたは他のモデムなど）を介してインターネットおよびモバイル事業者のネットワークに接続される。いくつかのＨ（ｅ）ＮＢは、あるデバイスまたは限定加入者グループ（ＣＳＧ）のメンバーである関係ユーザへのアクセスを制限するＣＳＧアクセスを与える。現在、デバイスは、１つまたは複数のアウトオブバンドプロシージャ、すなわち、デバイスとＣＳＧの１つまたは複数のノードとの間の接続にかかわらず行われるプロシージャを使用して（たとえば、ＣＳＧのノードにおいてデバイスをメンバーリストに手動で追加すること、デバイスによってアクセス可能なアクセスポイントのリストにＣＳＧ  Ｈ（ｅ）ＮＢを手動で追加することなど）、ＣＳＧ上にプロビジョニングされ得る。デバイスは、その後、ＣＳＧ中のＨ（ｅ）ＮＢと通信すること、それを再選択することなどを行うことができる。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の実施形態およびそれの対応する開示に従って、ノードの制限付きグループに対して１つまたは複数のデバイスのためのインバンドプロビジョニングを行うことに関する様々な態様について説明する。たとえば、デバイスは、アクセスを要求し、限定加入者グループ（ＣＳＧ）などの制限付きグループにおいてデバイスをプロビジョニングする目的で、制限付きグループ中の１つまたは複数のノードからアクセスを受信することができる。たとえば、デバイスは、本明細書で説明するパケットデータコンテキストに関係し得る、プロビジョニング接続の確立を要求することができる。デバイスへの他のアクセスを与えることなしに、制限付きグループにおいてプロビジョニングの目的に利用される少なくともあるレベルの一時的アクセスを許可するプロビジョニング接続が確立され得る。プロビジョニングが正常に完了した場合、プロビジョニング接続は終了され得、デバイスは、制限付きグループの１つまたは複数のノードから追加のアクセスを受信することができる。
【０００８】
一例によれば、アクセスポイント名のためのパケットデータコンテキストを確立したいという要求をデバイスから受信することと、要求に基づいてデバイスがＣＳＧプロビジョニングを要求していると判断することとを含む、インバンドＣＳＧプロビジョニングを可能にするための方法が提供される。本方法は、アクセスポイント名に少なくとも部分的に基づいてパケットデータコンテキストを確立するためのゲートウェイを選択することと、デバイスのためのパケットデータコンテキストを確立するためにゲートウェイにセッション要求メッセージを送ることとをさらに含む。
【０００９】
別の態様では、アクセスポイント名のためのパケットデータコンテキストを確立したいという要求をデバイスから受信することと、要求に基づいてデバイスがＣＳＧプロビジョニングを要求していると判断することとを行うように構成された少なくとも１つのプロセッサを含む、インバンドＣＳＧプロビジョニングを可能にするための装置が提供される。少なくとも１つのプロセッサは、アクセスポイント名に少なくとも部分的に基づいてパケットデータコンテキストを確立するためのゲートウェイを選択することと、デバイスのためのパケットデータコンテキストを確立するためにゲートウェイにセッション要求メッセージを送ることとを行うようにさらに構成される。さらに、本装置は、少なくとも１つのプロセッサに結合されたメモリを含む。
【００１０】
さらに別の態様では、アクセスポイント名のためのパケットデータコンテキストを確立したいというデバイスからの要求に基づいてデバイスがＣＳＧプロビジョニングを要求していると判断するための手段と、アクセスポイント名に少なくとも部分的に基づいてパケットデータコンテキストを確立するためのゲートウェイを選択するための手段とを含む、インバンドＣＳＧプロビジョニングを可能にするための装置が提供される。本装置は、デバイスのためのパケットデータコンテキストを確立するためにゲートウェイにセッション要求メッセージを送るための手段をさらに含む。
【００１１】
さらに、別の態様では、少なくとも１つのコンピュータに、アクセスポイント名のためのパケットデータコンテキストを確立したいという要求をデバイスから受信させるためのコードと、少なくとも１つのコンピュータに、要求に基づいてデバイスがＣＳＧプロビジョニングを要求していると判断させるためのコードとを有するコンピュータ可読媒体を含む、インバンドＣＳＧプロビジョニングを可能にするためのコンピュータプログラム製品が提供されるコンピュータ可読媒体は、少なくとも１つのコンピュータに、アクセスポイント名に少なくとも部分的に基づいてパケットデータコンテキストを確立するためのゲートウェイを選択させるためのコードと、少なくとも１つのコンピュータに、デバイスのためのパケットデータコンテキストを確立するためにゲートウェイにセッション要求メッセージを送らせるためのコードとをさらに含む。
【００１２】
さらに、一態様では、アクセスポイント名のためのパケットデータコンテキストを確立したいというデバイスからの要求に基づいてデバイスがＣＳＧプロビジョニングを要求していると判断するためのプロビジョニングサポート指示構成要素を含む、インバンドＣＳＧプロビジョニングを可能にするための装置が提供される。本装置は、アクセスポイント名に少なくとも部分的に基づいてパケットデータコンテキストを確立するためのゲートウェイを選択するためのゲートウェイ選択構成要素と、デバイスのためのパケットデータコンテキストを確立するためにゲートウェイにセッション要求メッセージを送るためのパケットデータコンテキスト確立構成要素とをさらに含む。
【００１３】
別の例によれば、ＣＳＧのプロビジョニングがサポートされるという指示を受信することと、ＣＳＧプロビジョニングのための指示を含むアクセスポイント名のためのパケットデータコンテキストを確立したいという要求を送信することとを含む、ＣＳＧをプロビジョニングするための方法が提供される。
【００１４】
別の態様では、ＣＳＧのプロビジョニングがサポートされるという指示を受信するように構成された少なくとも１つのプロセッサを含む、ＣＳＧをプロビジョニングするための装置が提供される。少なくとも１つのプロセッサは、ＣＳＧプロビジョニングのための異なる指示を含むアクセスポイント名のためのパケットデータコンテキストを確立したいという要求を送信するようにさらに構成される。さらに、本装置は、少なくとも１つのプロセッサに結合されたメモリを含む。
【００１５】
さらに別の態様では、ＣＳＧのプロビジョニングがサポートされるという指示を受信するための手段を含む、ＣＳＧをプロビジョニングするための装置が提供される。本装置は、ＣＳＧプロビジョニングのための異なる指示を含むアクセスポイント名のためのパケットデータコンテキストを確立したいという要求を送信するための手段をさらに含む。
【００１６】
さらに、別の態様では、少なくとも１つのコンピュータに、ＣＳＧのプロビジョニングがサポートされるという指示を受信させるためのコードを有するコンピュータ可読媒体を含む、ＣＳＧをプロビジョニングするためのコンピュータプログラム製品が提供される。コンピュータ可読媒体は、少なくとも１つのコンピュータに、ＣＳＧプロビジョニングのための異なる指示を含むアクセスポイント名のためのパケットデータコンテキストを確立したいという要求を送信させるためのコードをさらに含む。
【００１７】
さらに、一態様では、ＣＳＧのプロビジョニングがサポートされるという指示を受信するためのプロビジョニングサポート判断構成要素を含む、ＣＳＧをプロビジョニングするための装置が提供される。本装置は、ＣＳＧプロビジョニングのための異なる指示を含むアクセスポイント名のためのパケットデータコンテキストを確立したいという要求を送信するためのパケットデータコンテキスト要求構成要素をさらに含む。
【００１８】
別の例では、デバイスにおいてＣＳＧプロビジョニングのためのパケットデータコンテキストを確立するためにセッション要求メッセージを受信することを含む。ＣＳＧをプロビジョニングするための方法が提供される本方法は、パケットデータコンテキストの確立を示す応答メッセージを送ることと、１つまたは複数のパケットがＣＳＧプロビジョニングに関係するかどうかを判断することに少なくとも部分的に基づいて、デバイスに関連する１つまたは複数のパケットをフィルタリングすることとをさらに含む。
【００１９】
別の態様では、デバイスにおいてＣＳＧプロビジョニングのためのパケットデータコンテキストを確立するためにセッション要求メッセージを受信することと、パケットデータコンテキストの確立を示す応答メッセージを送ることとを行うように構成された少なくとも１つのプロセッサを含む、ＣＳＧをプロビジョニングするための装置が提供される。少なくとも１つのプロセッサは、１つまたは複数のパケットがＣＳＧプロビジョニングに関係するかどうかを判断することに少なくとも部分的に基づいて、デバイスに関連する１つまたは複数のパケットをフィルタリングするようにさらに構成される。さらに、本装置は、少なくとも１つのプロセッサに結合されたメモリを含む。
【００２０】
さらに別の態様では、デバイスにおいてＣＳＧプロビジョニングのためのパケットデータコンテキストを確立するためにセッション要求メッセージを受信し、パケットデータコンテキストの確立を示す応答メッセージを送るための手段を含む、ＣＳＧをプロビジョニングするための装置が提供される。本装置は、１つまたは複数のパケットがＣＳＧプロビジョニングに関係するかどうかを判断することに少なくとも部分的に基づいて、デバイスに関連する１つまたは複数のパケットをフィルタリングするための手段をさらに含む。
【００２１】
さらに、別の態様では、少なくとも１つのコンピュータに、デバイスにおいてＣＳＧプロビジョニングのためのパケットデータコンテキストを確立するためにセッション要求メッセージを受信させるためのコードと、少なくとも１つのコンピュータに、パケットデータコンテキストの確立を示す応答メッセージを送らせるためのコードとを有するコンピュータ可読媒体を含む、ＣＳＧをプロビジョニングするためのコンピュータプログラム製品が提供される。コンピュータ可読媒体は、少なくとも１つのコンピュータに、１つまたは複数のパケットがＣＳＧプロビジョニングに関係するかどうかを判断することに少なくとも部分的に基づいて、デバイスに関連する１つまたは複数のパケットをフィルタリングさせるためのコードをさらに含む。
【００２２】
さらに、一態様では、デバイスにおいてＣＳＧプロビジョニングのためのパケットデータコンテキストを確立するためにセッション要求メッセージを受信し、パケットデータコンテキストの確立を示す応答メッセージを送るためのパケットデータコンテキスト確立構成要素を含む、ＣＳＧをプロビジョニングするための装置が提供される。本装置は、１つまたは複数のパケットがＣＳＧプロビジョニングに関係するかどうかを判断することに少なくとも部分的に基づいて、デバイスに関連する１つまたは複数のパケットをフィルタリングするためのパケットフィルタリング構成要素をさらに含む。
【００２３】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２４】
添付の図面とともに以下に説明する開示する態様は、開示する態様を限定するためではなく、開示する態様を例示するために与えられ、同様の表示は同様の要素を示す。
【図面の簡単な説明】
【００２５】
【図１】制限されたグループにおいてインバンドプロビジョニングを実行するための例示的なシステムを示す図。
【図２】ＣＳＧにおいてデバイスのためのインバンドプロビジョニングを実行することを可能にするための例示的なシステムを示す図。
【図３】デバイスのインバンドＣＳＧプロビジョニングを実行する例示的なシステムを示す図。
【図４】インバンドＣＳＧプロビジョニングを要求するためのパケットデータコンテキストを確立する例示的な方法を示す図。
【図５】パケットデータコンテキストを１つまたは複数のデータベアラに関連付ける例示的な方法を示す図。
【図６】パケットデータコンテキストを管理するための例示的な方法を示す図。
【図７】ＣＳＧプロビジョニングを実行するためのパケットデータコンテキストを確立したいという要求を送信する例示的な方法を示す図。
【図８】パケットデータコンテキスト上で送られるパケットをフィルタリングするための例示的な方法を示す図。
【図９】インバンドＣＳＧプロビジョニングを要求することができる例示的なモバイルデバイスを示す図。
【図１０】本明細書で説明する様々な態様による例示的なコンピューティングデバイスを示す図。
【図１１】インバンドＣＳＧプロビジョニングを要求するためのパケットデータコンテキストを確立するための例示的なシステムを示す図。
【図１２】ＣＳＧプロビジョニングを実行するためのパケットデータコンテキストを確立したいという要求を送信する例示的なシステムを示す図。
【図１３】パケットデータコンテキスト上で送られるパケットをフィルタリングする例示的なシステムを示す図。
【図１４】本明細書に記載する様々な態様による例示的なワイヤレス通信システムを示す図。
【図１５】本明細書で説明する様々なシステムおよび方法とともに採用され得る例示的なワイヤレスネットワーク環境を示す図。
【図１６】本明細書の態様が実装され得る、いくつかのデバイスをサポートするように構成されたワイヤレス通信システムを示す図。
【図１７】ネットワーク環境内でフェムトセルの展開を可能にするための例示的な通信システムを示す図。
【図１８】いくつかの定義された追跡エリアを有するカバレージマップの例を示す図。
【発明を実施するための形態】
【００２６】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００２７】
本明細書でさらに説明するように、ノードの制限されたグループにおけるインバンドプロビジョニングは、デバイスが、ノードの制限されたグループのうちの１つまたは複数（たとえば、１つまたは複数のアクセスポイント）への登録を開始するためにそれとの少なくとも一時的接続を確立することを許可するために行われる。インバンドプロビジョニングは、制限されたグループ中の１つまたは複数のノードとのデバイス接続にかかわらず実行されるアウトオブバンドプロシージャとは反対に、制限されたグループ中のノードにアクセスするためのプロビジョニングを実行するために制限されたグループ中のノードとの接続を確立することを指すことができる。たとえば、デバイスは、制限されたグループにおける通信のためのプロビジョニングのための接続を介して１つまたは複数のノードと通信することができる。プロビジョニングは、プロビジョニングエンティティと通信するネットワークノード、またはデバイスを制限されたグループに登録することを許可する１つまたは複数の他のノードを含むことができる。この点について、デバイスは、しばしばデバイスによって実行され得ず、制限されたグループに関係する１つまたは複数のノードへの別個の接続を必要とし得るアウトオブバンドプロシージャを使用して、制限されたグループにプロビジョニングされる必要はない。インバンドプロビジョニングを許可することは、たとえば、空港、ホテル、レストランなどの公共の場で採用される制限されたグループのアクセスポイントにとって、および／または１つまたは複数のユーザ固有またはユーザ選択レベルのアクセスを与えることが望まれる他の状況において有益であり得る。
【００２８】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信し得る。
【００２９】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００３０】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００３１】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡはユニバーサル移動体通信システム（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００３２】
いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００３３】
図１を参照すると、例示的な通信システム１００（たとえば、通信ネットワークの一部）のいくつかのノードが示されている。説明のために、本開示の様々な態様について、互いに通信する１つまたは複数のデバイス、アクセスポイント、およびネットワークノードに関して説明する。ただし、本明細書の教示は、他のタイプの装置、または他の用語を使用して参照される他の同様の装置に適用可能であり得ることを諒解されたい。たとえば、様々な実装形態では、アクセスポイントは、基地局、ノードＢ、ｅノードＢ、ホームノードＢおよび（Ｈ（ｅ）ＮＢと総称される）ホームｅＮＢなどと呼ばれるか、またはそれらとして実装され得、デバイスは、ユーザ機器（ＵＥ）、アクセス端末、モバイルなどと呼ばれるか、またはそれらとして実装され得る。
【００３４】
システム１００中のアクセスポイントは、１つまたは複数のサービス（たとえば、ネットワーク接続性）を、システム１００のカバレージエリア内に設置され得るか、またはシステム１００のカバレージエリア全体にわたって移動することができる１つまたは複数のワイヤレス端末（たとえば、デバイス１０２）に提供する。たとえば、様々な時点で、デバイス１０２は、アクセスポイント１０４またはシステム１００中の何らかの他のアクセスポイント（図示せず）に接続することができる。アクセスポイントの各々は、ネットワーク接続性（たとえば、ワイドエリアネットワーク接続性）を可能にするために、（説明のために、ネットワークノード１０６によって表される）１つまたは複数のネットワークノードと通信することができる。これらのネットワークノードは、たとえば、１つまたは複数の無線および／またはコアネットワークエンティティ、ゲートウェイ、ルータなどの様々な形態をとることができる。したがって、様々な実装形態では、ネットワークノード１０６は、（たとえば、運用、アドミニストレーション、管理、および／またはプロビジョニングエンティティによる）ネットワーク管理、呼制御、セッション管理、モビリティ管理、ゲートウェイ機能、インターワーキング機能のうちの少なくとも１つなどの機能、および／または他の好適なネットワーク機能を表すことができる。
【００３５】
システム１００の図示のノードは、デバイスが、さもなければ制限されるアクセスポイントにアクセスすることを可能にするために、インバンドプロビジョニングを行うように構成され得る。いくつかの態様では、インバンドプロビジョニングという用語は、デバイスがアクセスポイントと通信しているときにアクセスポイントにアクセスするためにデバイスをプロビジョニングすることを指すことができる。したがって、インバンドプロビジョニングは、デバイスがアクセスポイントと通信していないときにデバイスがプロビジョニングされる帯域外プロビジョニングと区別され得る。
【００３６】
場合によっては、デバイスは、（たとえば、デバイスのユーザまたは他の加入者によって示される制限付きアクセスポイントの手動選択に少なくとも部分的に基づいて）ワイヤレスセルセットに関連する制限付きアクセスポイントにおいてプロビジョニングされることを選択することができる。概して、ワイヤレスセルセットは、１つまたは複数のセル（たとえば、少なくとも１つのアクセスポイント）のセットを備え、そのセットに固有の定義された関係がある。ワイヤレスセルセットの一例は限定加入者グループ（ＣＳＧ）である。便宜のために、以下の説明では、ワイヤレスセルセットというより一般的な用語ではなく、単にＣＳＧという用語に言及することがある。ただし、説明する概念が、ワイヤレスセルの制限付きグループを含むことができる、ワイヤレスセルまたは他の同様のエンティティの他のタイプの定義されたセットまたはグループに適用可能であり得ることを諒解されたい。
【００３７】
以下でより詳細に説明するように、アクセスポイント１０４は、アクセスポイント１０４がインバンドプロビジョニングをサポートするという指示を広告する（たとえば、ブロードキャストする）インバンドプロビジョニング広告構成要素１１０を含むことができる。この指示を受信すると、または何らかの他の方法で（たとえば、メッセージの交換を介して、またはデバイスによるアクセスポイント１０４の能力についてのアプリオリな知識によって）アクセスポイント１０４がインバンドプロビジョニングをサポートすると判断すると、さもなければアクセスポイント（たとえば、デバイス１０２）にアクセスすることが許可されないデバイスは、アクセスポイント１０４に接続したいという要求を送ることができる。この例では、デバイス１０２は、本明細書で説明するように、要求を送り、後続の機能を実行するなどのインバンドプロビジョニングに関連する動作を実行するためのインバンドプロビジョニング制御構成要素１１２を含むことができる。アクセスポイント１０４は、ネットワークノード１０６に接続要求を通知することができ、ネットワークノード１０６は（たとえば、インバンドプロビジョニング制御構成要素１１４を使用して）、アクセスポイント１０４におけるアクセスのためにデバイス１０２がプロビジョニングされることを可能にするためにプロビジョニング接続を確立することができる。
【００３８】
プロビジョニング接続は、デバイス１０２とプロビジョニングエンティティ１０８との間の破線のペア１１６によって表され得る。この例では、プロビジョニング接続１１６は、デバイス１０２が制御信号を送るおよび受信することを可能にすることができる。さらに、プロビジョニング接続１１６は、デバイス１０２が、他のエンドポイントとの間でデータを送るおよび受信すること不可能にしながら、プロビジョニングエンティティ１０８（たとえば、ＣＳＧアドミニストレーション機能またはサーバ）にデータを送り、そこからデータを受信することを可能にすることができる。
【００３９】
プロビジョニング接続１１６は、たとえば、デバイス１０２に限定されたアクセスを与えることができる。詳細には、一例では、プロビジョニング接続１１６は、プロビジョニングエンティティ１０８にアクセスするためにのみ使用され得る限定されたインターネットプロトコル（ＩＰ）接続性を備える。いくつかの態様では、プロビジョニング接続１１６は、ＣＳＧにアクセスするためにデバイスがプロビジョニングされることを可能にする、ＩＰネットワークへの接続性を確立することができる。一例では、パケットをフィルタリングするノードに対するパケットデータコンテキストが確立され、（たとえば、一態様では、他のパケットを拒否しながら）プロビジョニングエンティティ１０８に関係するパケットをプロビジョニングエンティティに許可および／またはリダイレクトすることができる。たとえば、パケットデータコンテキストは、パケットデータプロトコル（ＰＤＰ：packet data protocol）コンテキスト、パケットデータネットワーク（ＰＤＮ：packet data network）接続などに関係することができる。リダイレクションの一例では、ネットワークノード１０６を含むことができるノードは、デバイス１０２からのＧＥＴ要求によって要求されたウェブページにかかわらず、ハイパーテキストトランスポートプロトコル（ＨＴＴＰ）ＧＥＴ要求を特定のウェブページ（たとえば、デバイスがＣＳＧにおいてプロビジョニングすることを許可するウェブページ）にリダイレクトすることができる。
【００４０】
プロビジョニング接続１１６が確立されると、デバイス１０２は、一例ではＣＳＧアドミニストレーションサーバとすることができるプロビジョニングエンティティ１０８に認証情報（authorization information）（たとえば、パスワード、支払情報など）を送るようにプロンプトされ得る。認証情報の検証時に、プロビジョニングエンティティ１０８は、制限付きグループ中のアクセスポイント１０４および／または１つまたは複数の他のアクセスポイントにアクセスするためにデバイス１０２をプロビジョニングすることができる。たとえば、デバイス１０２のためのサブスクリプション情報は、デバイスがＣＳＧまたはアクセスポイント１０４に関連する他の制限付きグループのメンバーであることを示すために変更され得る。したがって、デバイス１０２は、次いで、アクセスポイント１０４における追加のアクセス（たとえば、プロビジョニング接続１１６を超えたオープンアクセスまたは他のアクセス）を与えられ得る。したがって、説明する態様では、デバイス１０２が、ＣＳＧまたは他の制限付きグループへのアクセスを取得するために、インバンドプロビジョニング接続１１６を確立することを許可する。
【００４１】
図２を参照すると、ＣＳＧにおいてインバンドプロビジョニングを可能にする例示的なワイヤレス通信システム２００が示されている。システム２００は、ワイヤレスネットワークへのアクセスを受信するために１つまたは複数のアクセスポイントと通信することができるデバイス２０２と、１つまたは複数のデバイスへの制限付きアクセスを与えるＨ（ｅ）ＮＢ２０４と、１つまたは複数のデバイスが１つまたは複数のコアネットワーク構成要素と通信することを認証するモビリティ管理エンティティ（ＭＭＥ：mobility management entity）２０６とを含むことができる。システム２００は、さらに、ホーム加入者サーバ（ＨＳＳ：home subscriber server）／ホームロケーションレジスタ（ＨＬＲ：home location register）２１０などの１つまたは複数のコアネットワーク構成要素にアクセスすることを可能にするゲートウェイ２０８と、１つまたは複数のデバイスのためのＣＳＧサブスクリプション情報を維持するＣＳＧアドミニストレーションサーバ２１２とを備えることができる。一例では、デバイス２０２は、ＵＥ、モデム（または他のテザーデバイス）、それの一部分などとすることができ、Ｈ（ｅ）ＮＢ２０４は、フェムトセル、ピコセル、または同様のアクセスポイント、その一部分などとすることができる。さらに、たとえば、ＭＭＥ２０６は、追加または代替として、サービング汎用パケット無線サービス（ＧＰＲＳ：general packet radio service）サポートノード（ＳＧＳＮ：serving GPRS support node）とすることができ、ゲートウェイは、ＰＤＮゲートウェイ（Ｐ−ＧＷ：PDN gateway）、ゲートウェイＧＰＲＳサポートノード（ＧＧＳＮ：gateway GPRS support node）、ローカルゲートウェイ（Ｌ−ＧＷ：local gateway）、実質的に任意の他のゲートウェイまたはルータなどとすることができる。さらに、追加の構成要素またはノードが、示したものの間に存在し得ることを諒解されたい（たとえば、１つまたは複数の追加のゲートウェイは、ＭＭＥ２０６とゲートウェイ２０８との間、ゲートウェイ２０８とＨＳＳ／ＨＬＲ２１０との間などに存在し得る）。
【００４２】
デバイス２０２は、１つまたは複数のＨ（ｅ）ＮＢがインバンドプロビジョニングをサポートするかどうかを見分けるためのプロビジョニングサポート判断構成要素２１４と、インバンドプロビジョニングを要求するための、１つまたは複数のコアネットワークノードにパケットデータコンテキストを確立したいという要求を送信するためのパケットデータコンテキスト要求構成要素２１６とを備えることができる。デバイス２０２はまた、ＣＳＧにおいてインバンドプロビジョニングを要求するためのＣＳＧプロビジョニング構成要素２１８と、随意に、プロビジョニングのために与えられる以上のアクセスを受信するために、ＣＳＧ中で通信するため、および／またはそれの１つまたは複数のＨ（ｅ）ＮＢと通信するためのＣＳＧアクセス構成要素２２０とを備える。ＭＭＥ２０６は、ＣＳＧがインバンドプロビジョニングを許可するかどうかを指定するためのプロビジョニングサポート指示構成要素２２２と、インバンドＣＳＧプロビジョニングを要求するデバイスからプロビジョニング通信を受信するためにゲートウェイを判断するためのゲートウェイ選択構成要素２２４とを備える。ＭＭＥ２０６は、さらに、デバイスとゲートウェイとの間でパケットデータコンテキストを開始するためのパケットデータコンテキスト確立構成要素２２６と、１つまたは複数のデバイスに関係するＣＳＧサブスクリプション情報を記憶するためのＣＳＧサブスクリプション構成要素２２８とを備える。
【００４３】
ゲートウェイ２０８は、デバイスを用いてパケットデータコンテキストをセットアップするためのパケットデータコンテキスト確立構成要素２３０と、デバイスからの１つまたは複数のパケットのためのルーティングを判断するためのパケットフィルタリング構成要素２３２とを備える。ＨＳＳ／ＨＬＲ２１０は、デバイスに関係するＣＳＧサブスクリプションを更新したいという要求を取得するためのＣＳＧ更新受信構成要素２３４と、デバイスのためのＣＳＧサブスクリプションデータを変更することを可能にするための加入者データ更新構成要素２３６とを備える。ＣＳＧアドミニストレーションサーバ２１２は、デバイスに関係するＣＳＧプロビジョニングプロシージャを開始するためのＣＳＧプロビジョニング構成要素２３８と、ＣＳＧプロビジョニングプロシージャに基づいてデバイスのためのＣＳＧサブスクリプションの更新を要求するためのＣＳＧサブスクリプション更新構成要素２４０とを備える。
【００４４】
一例によれば、デバイス２０２は、ワイヤレスネットワークへのアクセスを受信するためにＨ（ｅ）ＮＢ２０４への接続を試みることを判断することができる。たとえば、これは、Ｈ（ｅ）ＮＢ２０４の手動選択に関係することができる（たとえば、ユーザは、インターフェースを使用してＨ（ｅ）ＮＢ２０４への接続を選択および／または開始する）。たとえば、Ｈ（ｅ）ＮＢ２０４は、デバイス２０２の周囲のアクセスポイントのリストに表示され得、インターフェースは、（たとえば、Ｈ（ｅ）ＮＢ２０４を選択するユーザ対話などによって）リストからのＨ（ｅ）ＮＢ２０４の選択を判断することができる。たとえば、Ｈ（ｅ）ＮＢ２０４は、デバイス２０２がメンバーでないことがあるＣＳＧへのアクセスを与えることができ、したがって、デバイス２０２は、Ｈ（ｅ）ＮＢ２０４からの識別子、ＣＳＧインジケータなどに遭遇したとき、および／またはデバイス２０２がＣＳＧのメンバーでないと判断したとき、Ｈ（ｅ）ＮＢ２０４との接続を自動的に試みないことがある。しかしながら、Ｈ（ｅ）ＮＢ２０４の選択時に、上記の例では、プロビジョニングサポート判断構成要素２１４は、Ｈ（ｅ）ＮＢ２０４に関係するＣＳＧがインバンドプロビジョニングをサポートするかどうかを判断することができる。一例では、プロビジョニングサポート判断構成要素２１４は、そのように判断するためにＨ（ｅ）ＮＢ２０４に接続（attach）または登録プロシージャを要求することができる。
【００４５】
たとえば、プロビジョニングサポート判断構成要素２１４は、接続、サービス要求、ロケーションエリア更新（ＬＡＵ：location area update）、ルーティングエリア更新（ＲＡＵ：routing area update）、トラッキングエリア更新（ＴＡＵ：tracking area update）、または同様のメッセージをＨ（ｅ）ＮＢ２０４に送信することができる。一例では、プロビジョニングサポート判断構成要素２１４は、要求がＣＳＧプロビジョニングに関係することを明示するパラメータをメッセージ中に示すことができる（たとえば、これは、ＣＳＧプロビジョニングを示すためにＥＰＳ（発展型パケットシステム：evolved packet system）更新タイプを設定することを含むことができる）。Ｈ（ｅ）ＮＢ２０４は、登録要求を拒否することができ、その場合、プロビジョニングサポート判断構成要素２１４は、Ｈ（ｅ）ＮＢ２０４がインバンドプロビジョニングをサポートしないと判断し、デバイス２０２は、別のＨ（ｅ）ＮＢを選択しようと試みることができる。
【００４６】
別の例では、Ｈ（ｅ）ＮＢ２０４は、ＭＭＥ２０６への登録要求メッセージの通信を許可する少なくとも何らかのレベルのサービスレベルをデバイス２０２に与えることができる。プロビジョニングサポート指示構成要素２２２は、たとえば、登録要求メッセージを受信することができ、ＣＳＧプロビジョニングがＣＳＧにおいてサポートされるかどうかを示す登録受付けメッセージを送信するか、またはＨ（ｅ）ＮＢ２０４を介してデバイス２０２に登録拒否メッセージを送信することができる。たとえば、ＭＭＥ２０６は、ＣＳＧに関連し得、したがって、プロビジョニングサポート指示構成要素２２２は、ＣＳＧがインバンドプロビジョニングを許可するかどうかを指定することができる。これは、たとえば、ＭＭＥ２０６において構成されるか、さもなければＭＭＥ２０６によって受信され得る、プロビジョニングサポート指示構成要素２２２によって記憶されるＣＳＧのための事業者ポリシーに少なくとも部分的に基づき得る。一例では、プロビジョニングサポート指示構成要素２２２は、ＣＳＧがインバンドプロビジョニングをサポートするかどうかに少なくとも部分的に基づいて、ＣＳＧプロビジョニングサポートインジケータを指定する登録受付けメッセージを送信することができる。プロビジョニングサポートインジケータは、インバンドプロビジョニングがサポートされるかどうか（たとえば、ビットインジケータ）、プロビジョニング中のデバイス２０２のアクセスレベル（たとえば、デバイスがＨ（ｅ）ＮＢ２０４との限定または完全サービスを有するかどうか、および／あるいは限定サービスのレベル）などを指定する要求受付けメッセージ中の１つまたは複数のインジケータとすることができる。
【００４７】
プロビジョニングサポート判断構成要素２１４は、ＭＭＥ２０６から要求受付けまたは拒否メッセージを受信することができる。プロビジョニングサポート判断構成要素２１４が、ＣＳＧがインバンドプロビジョニングを許可しないことを指定するＣＳＧプロビジョニングサポートインジケータをもつ登録拒否メッセージまたは登録受付けメッセージを受信する場合、Ｈ（ｅ）ＮＢ２０４へのさらなるアクセスが拒否され得、ならびに／あるいはデバイス２０２は、別のＨ（ｅ）ＮＢへの接続を試みることができる。しかしながら、プロビジョニングサポート判断構成要素２１４が、ＣＳＧがインバンドプロビジョニングを許可することを指定するＣＳＧプロビジョニングサポートインジケータをもつ登録受付けメッセージを取得する場合、パケットデータコンテキスト要求構成要素２１６は、（たとえば、Ｈ（ｅ）ＮＢを介して）ＭＭＥ２０６からパケットデータコンテキストの活動化を要求することができ、要求がＣＳＧインバンドプロビジョニングに関係することを指定することができる。説明したように、たとえば、パケットデータコンテキストは、ＰＤＰコンテキスト、ＰＤＮ接続などとすることができる。
【００４８】
別の例では、デバイス２０２は、（たとえば、Ｈ（ｅ）ＮＢ２０４がインバンドＣＳＧプロビジョニングをサポートするというインジケータを受信すること、デバイス２０２が以前にＣＳＧ上でプロビジョニングされたと判断することなどに少なくとも部分的に基づいて）Ｈ（ｅ）ＮＢ２０４などを自動的に選択すると判断することができる。いずれの場合も、たとえば、パケットデータコンテキスト要求構成要素２１６は、ＭＭＥ２０６からのパケットデータコンテキストの活動化を要求することができ、パケットデータコンテキストがＣＳＧプロビジョニングに関係することを示すために、１つまたは複数のパラメータを要求中に含めることができる。たとえば、パケットデータコンテキスト要求構成要素２１６は、要求中のＥＰＳ要求タイプ（またはパケットデータコンテキスト要求がＣＳＧプロビジョニングに関係することを示す他のパラメータ）をＣＳＧプロビジョニングに設定すること、要求中のアクセスポイント名（ＡＰＮ：access point name）をＣＳＧプロビジョニングに関係するＡＰＮに設定することなどを行うことができる。パケットデータコンテキスト確立構成要素２２６は、インバンドＣＳＧプロビジョニングのためのパケットデータコンテキストを活動化したいという要求を取得することができる。たとえば、パケットデータコンテキスト確立構成要素２２６は、ＥＰＳ要求タイプなどの要求中の１つまたは複数のパラメータ、要求中で指定されるＡＰＮがＣＳＧプロビジョニングに関連すると判断することなどに少なくとも部分的に基づいて、要求がＣＳＧプロビジョニングに関係すると判断することができる。この点について、パケットデータコンテキスト確立構成要素２２６は、ＣＳＧプロビジョニングに関係するデバイス２０２から通信を受信するための一つまたは複数のデータベアラを確立することができる。さらに、この点について、ゲートウェイ選択構成要素２２４は、デバイス２０２のインバンドＣＳＧプロビジョニングを支援するために１つまたは複数のゲートウェイを判断することができる。
【００４９】
たとえば、ゲートウェイ選択構成要素２２４は、選択機能に少なくとも部分的に基づいて、（たとえば、Ｈ（ｅ）ＮＢ２０４の）ＣＳＧプロビジョニングＡＰＮまたはパケットデータコンテキストを活動化したいという要求中に示される静的に構成されたゲートウェイに少なくとも部分的に基づいて、その他に少なくとも部分的に基づいて、１つまたは複数のゲートウェイを判断することができる。一例では、ゲートウェイ選択構成要素２２４は、ＡＰＮに対応する関係するパブリックランドモバイルネットワーク（ＰＬＭＮ：public land mobile network）中のゲートウェイ識別情報を判断するために、ゲートウェイ選択機能をもつＡＰＮを利用することができる。たとえば、そのような要求中で指定されるＡＰＮは、パケットデータコンテキストのためのＩＰネットワーク中での接続ポイントを判断するために、ＭＭＥ２０６などのＭＭＥを許可することができる。したがって、ゲートウェイ選択機能は、たとえば、ＡＰＮに少なくとも部分的に基づいて、後続の関連付けおよび検索のために（たとえば、ＭＭＥ２０６または別のノードによって）記憶され得る、ゲートウェイへのＡＰＮの１つまたは複数のマッピングからゲートウェイを選択することを含むことができる。たとえば、パケットデータコンテキスト要求構成要素２１６は、ＣＳＧプロビジョニングを指定することに関係することができるＡＰＮを要求中に含むことができ、ゲートウェイ選択構成要素２２４は、ＡＰＮに少なくとも部分的に基づいてデバイス２０２のインバンドプロビジョニングサポートを行うためにゲートウェイ２０８を利用することを判断することができる。さらに、ゲートウェイ選択構成要素２２４は、判断されたゲートウェイ識別情報に少なくとも部分的に基づいて、ゲートウェイ２０８のＩＰアドレス、完全修飾ドメインネーム（ＦＱＤＮ：fully qualified domain name）などを判断することができる。たとえば、これは、判断されたゲートウェイ識別情報に基づいてＤＮＳサーバを用いてゲートウェイのためのドメインネームサーバ（ＤＮＳ）クエリを実行することを含むことができる。別の例では、要求は、（たとえば、Ｈ（ｅ）ＮＢ２０４からデバイス２０２によって判断された、Ｈ（ｅ）ＮＢ２０４によって要求または関係するメッセージにポピュレートされたものなど）ゲートウェイ２０８のアドレスを含むことができる。
【００５０】
この例では、パケットデータコンテキスト確立構成要素２２６は、ゲートウェイ２０８を用いてパケットデータコンテキストの確立を要求することができ、それは、ＰＤＮ接続を確立するためのセッション生成要求メッセージ、ＰＤＰコンテキストを確立するためのＰＤＰコンテキスト生成要求メッセージ、および／または同様のメッセージなどのセッション要求メッセージを送ることを含むことができる。パケットデータコンテキスト確立構成要素２３０は、要求を受信し、したがって、パケットデータコンテキスト（たとえば、関連するＰＤＰコンテキストまたはＰＤＮ接続）を確立することができる。たとえば、パケットデータコンテキスト確立構成要素２３０は、パケットデータコンテキストの成功した（または失敗した）確立を示す応答メッセージを送信することができ、これは、ＰＤＮ接続を確立するためのセッション生成応答メッセージ、ＰＤＰコンテキストを確立するためのＰＤＰコンテキスト生成応答メッセージ、および／または同様のメッセージを含むことができる。パケットデータコンテキストの確立に成功した場合、たとえば、パケットデータコンテキスト確立構成要素２２６は、Ｈ（ｅ）ＮＢ２０４と、パケットデータコンテキストに関係するデバイス２０２からゲートウェイ２０８に通信を転送するためのゲートウェイ２０８との間に通信トンネルを確立することができる。この点について、図示してはいないが、Ｈ（ｅ）ＮＢ２０４は、追加または代替として、ゲートウェイ２０８に直接結合され得る。パケットデータコンテキスト確立構成要素２２６は、さらに、デバイス２０２と、トンネルに関係する通信のために使用され得るＨ（ｅ）ＮＢ２０４との間に無線ベアラを作成することができる。Ｈ（ｅ）ＮＢ２０４は、この点について、関係する通信を転送するためのトンネルへの無線ベアラをデバイス２０２に関連付けることができる。
【００５１】
さらに、パケットデータコンテキスト確立構成要素２２６は、確立されたパケットデータコンテキスト（または関連するベアラ）についてデバイス２０２に通知することができ、パケットデータコンテキスト要求構成要素２１６は、ＭＭＥ２０６から通知を受信することができる。この点について、ＣＳＧプロビジョニング構成要素２１８は、インバンドＣＳＧプロビジョニングを実行するためにパケットデータコンテキストを使用して通信を開始することができる。別の例では、ゲートウェイ選択構成要素２２４は、デバイス２０２がプロビジョニングアクセスのために通信することは許可されるが、他の通信のためのアクセスは許可されないことを保証するために、１つまたは複数の他のゲートウェイへのアクセスを非活動化することができる。さらに、パケットデータコンテキスト確立構成要素２２６は、デバイス２０２がプロビジョニングのためにアクセスすることを許可すべきであることをゲートウェイ２０８に示すことができる。たとえば、これは、セッション要求メッセージ（たとえば、そのパラメータ）、別個のメッセージなどの一部とすることができる。パケットデータコンテキスト確立構成要素２３０はこの指示を受信することができ、パケットフィルタリング構成要素２３２は、したがって、以下で説明するように、デバイス２０２からのプロビジョニングパケットを許可すると同時に、他のエンティティまたはデータタイプに関係するパケットを拒否することができる。
【００５２】
たとえば、ＣＳＧプロビジョニング構成要素２１８は、パケットデータコンテキストに対応するトンネル上でゲートウェイ２０８と通信するための１つまたは複数のベアラを利用することによって、ＣＳＧアドミニストレーションサーバ２１２と通信することができ、ＣＳＧアドミニストレーションサーバ２１２の識別情報またはアドレスは、たとえば、Ｈ（ｅ）ＮＢ２０４によってデバイス２０２に与えられ得る。特定の一例では、デバイス２０２は、ＣＳＧプロビジョニングのためのＨ（ｅ）ＮＢ２０４に接続されるとウェブブラウザを起動することができ、Ｈ（ｅ）ＮＢ２０４またはゲートウェイ２０８によってＣＳＧアドミニストレーションサーバ２１２上のウェブページにリダイレクトされ得る。したがって、ＣＳＧプロビジョニング構成要素２１８は、１つまたは複数のデータベアラ上で、それへのアクセスを要求するＣＳＧアドミニストレーションサーバ２１２にデータを送信することができる。データは、たとえば、契約条件への合意のインジケータ、ログインまたはアカウント情報（たとえば、ユーザ名／パスワード）、課金または支払情報（たとえば、クレジットカード番号、課金アドレスなど）、および／またはユーザインターフェースから受信され得る同様の情報を含むことができる。データは、追加または代替として、加入者または事業者情報など、デバイスに記憶されたデータを含むことができる。データは、パケットデータコンテキストに対応するトンネル上で通信するためのベアラを使用してゲートウェイ２０８に通信され得る。パケットデータコンテキスト確立構成要素２３０はデータを受信することができ、パケットフィルタリング構成要素２３２は、たとえば、データがＣＳＧアドミニストレーションサーバ２１２または１つまたは複数の他のＣＳＧプロビジョニングエンティティに関係することを保証することができる。
【００５３】
一例では、パケットフィルタリング構成要素２３２は、パケットがＣＳＧアドミニストレーションサーバ２１２などのＣＳＧプロビジョニング構成要素を対象とする（たとえば、ＣＳＧプロビジョニング構成要素にまたはそれからアドレス指定される）ことを保証するために、パケットに関係するアドレスを検証することができる。証明されなかった場合、パケットフィルタリング構成要素２３２は、デバイス２０２からの通信がＣＳＧプロビジョニングに限定されることを保証するためにパケットをルーティングすることを控えることができる。一例では、ゲートウェイ２０８は、ＭＭＥ２０６、ゲートウェイ２０８、そのサービスプロバイダまたはロケーション（たとえば、空港、レストランなど）に固有の情報をもつ１つまたは複数のサーバなど、非プロビジョニングされたアクセスの一部として他のノード（図示せず）にデバイス２０２がアクセスすることを許可することができることを諒解されたい。
【００５４】
パケットがＣＳＧアドミニストレーションサーバ２１２に関係する場合、パケットフィルタリング構成要素２３２は、デバイス２０２からＣＳＧアドミニストレーションサーバ２１２にパケットを通信することができる。ＣＳＧプロビジョニング構成要素２３８は、デバイス２０２のためのパケットを受信し処理することができる。たとえば、これは、契約条件を受け付けることの指示、ログインまたはアカウント情報、支払情報など、デバイス２０２（たとえば、そのアドレスまたは他の識別子）とパケット中で受信されるデータとの間の関連付けを記憶することを含むことができる。一例では、ＣＳＧプロビジョニング構成要素２３８は、受信された情報に基づいてデバイス２０２へのＣＳＧプロビジョニングを許可すべきかどうかを最初に判断することができることを諒解されたい。たとえば、デバイス２０２が無効な課金情報、無効なログイン情報、契約条件が受け付けられないという指示などのうちの１つまたは複数を送信する場合、一例では、ＣＳＧプロビジョニング構成要素２３８は、デバイス２０２へのインバンドプロビジョニングを行う際のエラーを示すウェブページまたは他のデータをデバイス２０２に通信することができる。
【００５５】
ＣＳＧプロビジョニング構成要素２３８が、データが有効であるおよび／またはインバンドプロビジョニングをデバイス２０２に行うべきであると判断すると、ＣＳＧサブスクリプション更新構成要素２４０は、ＣＳＧにおいてデバイス２０２をプロビジョニングするためにデバイス２０２のためのＣＳＧサブスクリプションを更新することを試みることができる。これは、たとえば、デバイス２０２のためのＣＳＧサブスクリプションデータを更新するためにＨＳＳ／ＨＬＲ２１０と通信するＣＳＧサブスクリプション更新構成要素２４０を含むことができる。ＣＳＧ更新受信構成要素２３４は、ＣＳＧアドミニストレーションサーバ２１２からＣＳＧサブスクリプション情報を更新したいという要求を受信することができる。この例では、加入者データ更新構成要素２３６は、デバイス２０２がＣＳＧにアクセスすること（たとえば、ＣＳＧ中の１つまたは複数のＨ（ｅ）ＮＢまたは他のノードにアクセスすること）を許可するためにＣＳＧサブスクリプション情報を更新することをＭＭＥ２０６に示すことができる。たとえば、これは、デバイス２０２のためのサブスクリプションデータを含む加入者データ挿入メッセージを送信することを含むことができる。ＣＳＧサブスクリプション構成要素２２８は、この指示またはメッセージを受信することができ、したがって、デバイス２０２を含めるためにＣＳＧサブスクリプション情報を更新することができる。たとえば、サブスクリプションデータは、ＣＳＧ中の任意のＨ（ｅ）ＮＢへのデバイスのアクセス、Ｈ（ｅ）ＮＢ２０４のみへのアクセス、時限アクセス、１つまたは複数の他のパラメータに基づくアクセスなどを可能にするなど、実質的に任意のグラニュラリティ（granularity）であり得る。したがって、ＣＳＧサブスクリプション構成要素２２８は、サブスクリプションデータに基づいてデバイス２０２がＣＳＧ中のＨ（ｅ）ＮＢ２０４および／または他のＨ（ｅ）ＮＢにアクセスすることを管理することができる。これは、サブスクリプションデータに基づいてＨ（ｅ）ＮＢ２０４または他のＨ（ｅ）ＮＢへのアクセスを制御することを含むことができる。
【００５６】
プロビジョニングの後、一例では、パケットデータコンテキスト確立構成要素２２６は、プロビジョニングを実行するために使用されるパケットデータコンテキストを非活動化し、この非活動化は、Ｈ（ｅ）ＮＢ２０４とゲートウェイ２０８との間のトンネルを除去すること、デバイス２０２のためのＨ（ｅ）ＮＢ２０４において確立された無線ベアラを除去することなどを含むことができる。これは、たとえば、ＣＳＧサブスクリプション構成要素２２８がサブスクリプションデータを受信すること、サブスクリプションデータ通信が完了したという指示をＨＳＳ／ＨＬＲ２１０から受信することなどに少なくとも部分的に基づき得る。別の例では、パケットデータコンテキスト確立構成要素２３０は、パケットデータコンテキストを同様に非活動化することができる。パケットデータコンテキスト要求構成要素２１６は非活動化を検出することができ、ＣＳＧアクセス構成要素２２０は、したがって、Ｈ（ｅ）ＮＢ２０４へのアクセスを試みることができる。たとえば、登録されると、ＣＳＧアクセス構成要素２２０は、ある時間期間の間、Ｈ（ｅ）ＮＢ２０４へのアクセスを試みることができることを諒解されたい。したがって、たとえば、プロビジョニングされると、デバイス２０２は、特定の時間期間の間、Ｈ（ｅ）ＮＢ２０４へのアクセスを要求する許可を有し得る。たとえば、デバイス２０２が別のアクセスポイントを再選択する場合、デバイス２０２は依然として、アクセスのためのインバンドプロビジョニングを繰り返す必要なしに、時間期間の間、Ｈ（ｅ）ＮＢ２０４を再選択することを検討することができる。アクセスが許可されない場合（たとえば、時間期間が満了した場合）、デバイス２０２は、インバンドプロビジョニングを再び実行することができる。
【００５７】
さらに、ＣＳＧサブスクリプション構成要素２２８は、デバイス２０２のために記憶されたサブスクリプションデータに少なくとも部分的に基づいてデバイス２０２がＨ（ｅ）ＮＢ２０４にアクセスするのを許可されるかどうかを判断することができる。許可される場合、ＭＭＥ２０６は、デバイス２０２がＨ（ｅ）ＮＢ２０４を介して通信することを許可することができる。許可されない場合、ＭＭＥ２０６は、デバイス２０２からのアクセス要求を拒否することができる。別の例では、パケットデータコンテキスト確立構成要素２２６は、タイマーの満了を検出することに少なくとも部分的に基づいてパケットデータコンテキストを非活動化することができる。たとえば、パケットデータコンテキスト確立構成要素２２６は、パケットデータコンテキストを確立することの一部としてタイマーを初期化することができる。ＨＳＳ／ＨＬＲ２１０からサブスクリプションデータを受信することなしにタイマーが満了する場合、パケットデータコンテキスト確立構成要素２３０は、パケットデータコンテキストを非活動化することができ、かつ／またはデバイス２０２に非活動化を通知することができる。別の例では、パケットデータコンテキスト確立構成要素２３０は、パケットデータコンテキストを同様に非活動化することができる。たとえば、パケットデータコンテキスト確立構成要素２３０は、パケットデータコンテキストを確立するときにタイマーを開始することができ、対応するトンネル上でデバイス２０２に関係するデータが受信される前にタイマーの満了を検出することができる。この場合、パケットデータコンテキスト確立構成要素２３０は、パケットデータコンテキストを非活動化することができ、非活動化は、パケットデータコンテキスト確立構成要素２２６に非活動化を通知することを含むことができる。上記で説明したように、パケットデータコンテキスト確立構成要素２２６は、通知を受信することに少なくとも部分的に基づいてパケットデータコンテキストに関連するベアラを除去することができる。
【００５８】
さらに、別の例では、デバイス２０２は、プロビジョニングが必要かどうかを判断するためにＨ（ｅ）ＮＢ２０４との接続を最初に試みることができることを諒解されたい。たとえば、ＣＳＧサブスクリプション構成要素２２８は、ある時間期間の間、ＣＳＧサブスクリプションデータを記憶することができ、したがって、デバイス２０２は、Ｈ（ｅ）ＮＢ２０４への接続ごとにプロビジョニングを実行する必要がないことがある。むしろ、たとえば、デバイス２０２から接続の試みがあったとき、ＣＳＧサブスクリプション構成要素２２８は、デバイス２０２のためのサブスクリプションデータが有効であるかどうかを判断することができ、有効であれば、ＭＭＥ２０６は、デバイス２０２がＨ（ｅ）ＮＢ２０４にアクセスすることを許可することができる。
【００５９】
さらに、Ｈ（ｅ）ＮＢ２０４を自動的に選択し、その場合には、デバイス２０２はプロビジョニングについてユーザにプロンプトすることができるなど、Ｈ（ｅ）ＮＢ２０４を選択するための他の例が存在し得る。さらに、図示はしないが、Ｈ（ｅ）ＮＢ２０４は、関係するＣＳＧがインバンドプロビジョニングを（たとえば、システム情報中のビットとして）許可するかどうかを示すことができ、プロビジョニングサポート判断構成要素２１４は、最初にＨ（ｅ）ＮＢ２０４またはＭＭＥ２０６に登録することなしに、Ｈ（ｅ）ＮＢ２０４がインバンドプロビジョニングを許可すると判断することができる。さらに別の例では、パケットデータコンテキスト要求構成要素２１６は、そのような確立を要求する前にインバンドプロビジョニングのための活動的なパケットデータコンテキストが存在するかどうかを判断することができる。同様に、パケットデータコンテキスト確立構成要素２２６は、パケットデータコンテキストを確立したいというデバイスからの要求がプロビジョニングのためにすでに存在する場合、その要求を拒否することができる。別の態様では、たとえば、ＣＳＧサブスクリプション構成要素２２８は、ＣＳＧを利用してデバイス２０２に関係する課金データを維持することができ、ＨＳＳ／ＨＬＲ２１０の事業者がデバイス２０２のユーザに課金するために、ＨＳＳ／ＨＬＲ２１０または（たとえば、ＨＳＳ／ＨＬＲ２１０を介してまたは他の方法で）１つまたは複数の他のホームＰＬＭＮノードにそのようなデータを与えることができる。
【００６０】
図３を参照すると、ＣＳＧにおいてインバンドプロビジョニングを可能にする例示的なワイヤレス通信システム３００が示されている。システム３００は、ワイヤレスネットワークアクセスを受信するためのＨ（ｅ）ＮＢ３０４を選択するＵＥ３０２を含むことができる。Ｈ（ｅ）ＮＢ３０４は、追加または代替としてＳＧＳＮなどであり得るＭＭＥ３０６、ＧＧＳＮ、Ｐ−ＧＷなどであり得るゲートウェイ３０８、ＨＳＳ／ＨＬＲ３１０（および／またはＨＬＲ）、ＣＳＧアドミニストレーションサーバ３１２などの１つまたは複数のコアネットワーク構成要素に少なくとも限定されたアクセスを許可することができる。図示のように、ＵＥ３０２は、Ｈ（ｅ）ＮＢ３０４と通信するように選択するためにＨ（ｅ）ＮＢ選択３１４を実行することができる。これは、たとえば、ＵＥ３０２を動作させているユーザによる手動選択、Ｈ（ｅ）ＮＢ３０４を検出することに基づく自動選択などを含むことができる。一例では、ユーザは、ＵＥ３０２において手動選択プロシージャを開始することができ、それによりＵＥ３０２に、周囲のＨ（ｅ）ＮＢを検出させ、３１４における選択のためのリストにＨ（ｅ）ＮＢまたは関係するＣＳＧ、ＰＬＭＮ、または同様の情報を表示させることができる。別の例では、ＣＳＧを表示することができ、この選択は、Ｈ（ｅ）ＮＢ３０４に関係するＣＳＧを選択することを含むことができる。
【００６１】
３１４におけるＨ（ｅ）ＮＢ３０４、対応するＣＳＧなどの選択により、ＵＥ３０２に、Ｈ（ｅ）ＮＢ３０４への登録要求３１６を送らせることができる。一例では、登録要求３１６は、ＵＥ３０２がＣＳＧプロビジョニングを望むことを示すＬＡＵ／ＲＡＵ／ＴＡＵ要求であり得る。メッセージ中に含まれるインジケータは、一例では、登録要求中のＥＰＳ更新タイプであり得る。Ｈ（ｅ）ＮＢ３０４は、ＭＭＥ３０６に登録要求を転送することができる。別の例では、登録要求３１６および３１８の追加または代替として接続要求が利用され得ることを諒解されたい。ＭＭＥ３０６がインバンドＣＳＧプロビジョニングをサポートしない場合、ＭＭＥ３０６は、ＣＳＧプロビジョニングをＥＰＳタイプとして示す、ＵＥ３０２からのＬＡＵ／ＲＡＵ／ＴＡＵ要求を拒否することができる。
【００６２】
ＭＭＥ３０６がインバンドプロビジョニングをサポートする場合、ＭＭＥ３０６は、一例では、ＵＥ３０２を認証するためにＬＡＵ／ＲＡＵ／ＴＡＵプロシージャを実行すること、ＵＥコンテキストを検索することなどをさらに行うことができる。さらに、たとえば、ＭＭＥ３０６は、登録要求３１８中で指定されるＣＳＧ識別子または登録要求３１８中のＡＰＮに関係するＣＳＧ識別子が、ＭＭＥ３０６におけるＣＳＧサブスクリプション情報に含まれる、満了したなどのうちの少なくとも１つであるかどうかを判断することができる。ＣＳＧ識別子が、登録要求３１８中に存在しておらず、および／または満了していないと判断された場合、ＭＭＥ３０６は、インバンドプロビジョニングがＨ（ｅ）ＮＢ３０４のＣＳＧによってサポートされることを示すＣＳＧプロビジョニングサポートインジケータとともに、登録受付け３２０を、Ｈ（ｅ）ＮＢ３０４を介してＵＥ３０２に送信することができる。たとえば、インバンドプロビジョニングサポートは、事業者固有のものであり、したがって、ＭＭＥ３０６によって示され得る。
【００６３】
さらに、説明したように、インバンドプロビジョニングがサポートされるかどうかの指示は、説明したように、プロビジョニングなしに許可されるサービスレベルに関する追加情報などを指定することができるＣＳＧプロビジョニングサポートインジケータであり得る。ＣＳＧプロビジョニングサポートインジケータ３２０とともに登録受付けを受信することに少なくとも部分的に基づいて、ＵＥ３０２は、３２２において、ＣＳＧプロビジョニングサポートのためのＰＤＰコンテキストまたはＰＤＮ接続（または他のパケットデータコンテキスト）を活動化することを判断することができる。説明したように、ＵＥ３０２は、ＰＤＰコンテキストまたはＰＤＮ接続の活動化がインバンドＣＳＧプロビジョニングに関係するという指示含むことができる。ＭＭＥ３０６は、３２２におけるプロシージャの一部としてＵＥ３０２からＰＤＰコンテキストまたはＰＤＮ接続を確立したいという要求を受信することができ、ＭＭＥ３０６は、１つまたは複数のネットワークノードからＣＳＧプロビジョニングを要求することを可能にするためにゲートウェイ３０８を選択することができる。ＭＭＥ３０６は、説明したように、（たとえば、ＣＳＧプロビジョニングに関係する）要求中で指定されたＡＰＮに少なくとも部分的に基づいてゲートウェイ選択機能に従ってゲートウェイ３０８を選択すること、明示的に指定されたゲートウェイなどを選択することができる。
【００６４】
一例では、ＵＥ３０２は、要求中のＣＳＧプロビジョニング構成データを指定することができる。ＣＳＧプロビジョニング構成データは、一例では、以下情報の一部または全部を含むことができる。
【表１】
2013520093.tif 000003
【００６５】
したがって、ＭＭＥ３０６は、この例では、ＣＳＧプロビジョニングＧＧＳＮ／ＰＧＷ識別情報に少なくとも部分的に基づいて、ゲートウェイ３０８を判断することができる。別の例では、ＭＭＥ３０６は、ゲートウェイ３０８（あるいはその識別子またはアドレス）へのＣＳＧプロビジョニングＡＰＮの記憶されたマッピングに少なくとも部分的に基づいて選択機能を使用してゲートウェイ３０８を導出することができる。いずれの場合も、ＭＭＥ３０６は、識別時にゲートウェイ３０８とＰＤＰコンテキストまたはＰＤＮ接続を確立することができ、ＰＤＰコンテキストまたはＰＤＮ接続を、Ｈ（ｅ）ＮＢ３０４を介してＵＥ３０２から通信を受信するために確立された１つまたは複数のデータベアラに関連付けることができる。
【００６６】
この点について、ＵＥ３０２は、Ｈ（ｅ）ＮＢ３０４を介して１つまたは複数のデータベアラ上でデータを送信することができ、このデータは、ゲートウェイ３０８によって受信され、処理され得る。たとえば、ゲートウェイ３０８は、ＣＳＧプロビジョニングに関係するデータの転送を許可するが、他のデータを拒否するためにデータをフィルタリングすることができる。たとえば、ゲートウェイ３０８は、ＣＳＧアドミニストレーションサーバ３１２を対象とするか、またはそれから受信された（たとえば、パケットヘッダ中の宛先またはソースアドレスなどとして示され得る）データを許可することができる。この点について、ＵＥ３０２は、３２４においてＰＤＮ接続上でＣＳＧアドミニストレーションサーバ３１２を用いてプロビジョニングを実行することができる。この例では、ゲートウェイ３０８は、ＵＥ３０２からのデータがＣＳＧアドミニストレーションサーバ３１２に関係すると判断することができ、したがって、それにデータを転送することができる。一例では、ＵＥ３０２は、ＣＳＧにおいてＵＥ３０２をプロビジョニングすることをサポートするウェブページに自動的にリダイレクトするブラウザを起動することができる。ＵＥ３０２は、契約条件を受け付けることの指示、課金またはログイン情報など、ＣＳＧプロビジョニングを可能にするために（たとえば、ウェブページから）追加のデータをサブミットすることができる。
【００６７】
ＣＳＧアドミニストレーションサーバ３１２は、追加のデータを受信し、ＵＥ３０２がＣＳＧにアクセスすることを許可するかどうかを判断することができる。この例では、ＣＳＧアドミニストレーションサーバ３１２は、ＵＥ３０２のためのＣＳＧサブスクリプション情報の更新にＣＳＧを含ませるために、ＨＳＳ／ＨＬＲ３１０に更新ＣＳＧメンバーシップメッセージ３２６を送信することができる。ＨＳＳ／ＨＬＲ３１０は、したがって、ＣＳＧへの接続を許可するためにＵＥ３０２についてのＣＳＧサブスクリプションデータの変化を示すために、ＭＭＥ３０６に加入者データ挿入メッセージ３２８を送信することができる。説明したサブスクリプションデータは、ビットインジケータ、またはアクセスがＣＳＧ中で許可されているかどうか、Ｈ（ｅ）ＮＢ３０４について許可されているかどうか、アクセスが許可される時間期間など、実質的に任意のグラニュラリティであり得る。ＭＭＥ３０６は、したがって、加入者データ挿入肯定応答メッセージ３３０で応答することができ、説明したように、ＣＳＧサブスクリプションを管理し、アクセスすることができる。ＨＳＳ／ＨＬＲ３１０は、ＣＳＧメンバーシップ更新肯定応答メッセージ３２２で応答することができる。さらに、（たとえば、一例では、加入者データ挿入肯定応答メッセージ３３０を送信するとき、または非活動化タイマーまたは他の接続関係のタイマーの満了時にＭＭＥ３０６によって、）３３４において、プロビジョニングサポートのためのＰＤＰコンテキストまたはＰＤＮ接続が非活動化され、ＵＥがリリースされ得る。ＵＥ３０２は、次いで、サブスクリプションデータに従って、Ｈ（ｅ）ＮＢ３０４またはＣＳＧ中の他のノードから、ネットワークアクセスの増加したレベル（たとえば、オープンアクセスまたはプロビジョニングアクセスを超える何らかの他のレベル）を受信するために、Ｈ（ｅ）ＮＢ３０４またはＣＳＧ中の他のノードへの接続を試みることができる。
【００６８】
図４〜図８を参照すると、ＣＳＧにおけるデバイスのインバンドプロビジョニングに関係する例示的な方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるわけではない。
【００６９】
図４を参照すると、インバンドプロビジョニングを実行するためのパケットデータコンテキストを確立することを可能にする例示的な方法４００が表示されている。４０２において、ＡＰＮのためのパケットデータコンテキストを確立したいという要求をデバイスから受信する。たとえば、要求は、説明したように、ＰＤＰコンテキスト、ＰＤＮ接続などを確立することに関係することができる。さらに、ＡＰＮはＣＳＧプロビジョニングに関係することができ、および／または要求は、パケットデータコンテキストがＣＳＧプロビジョニングのためのものであることを指定する別個のインジケータを含むことができる。４０４において、要求に基づいてデバイスがＣＳＧプロビジョニングを要求していると判断する。たとえば、これは、要求中のインジケータ、ＡＰＮがＣＳＧプロビジョニングに対応すると判断することなどのうちの少なくとも１つに基づいて判断され得る。
【００７０】
４０６において、ＡＰＮに少なくとも部分的に基づいてパケットデータコンテキストを確立するためのゲートウェイを選択する。たとえば、これは、ＡＰＮをゲートウェイに相関させる選択機能を利用すること、要求から明示的ゲートウェイ識別子を検索することなどに少なくとも部分的に基づいてゲートウェイを判断することを含むことができる。さらに、ゲートウェイのＩＰアドレスは、その判断された識別子に基づいて受信および／または判断され得る。４０８において、デバイスのためのパケットデータコンテキストを確立するためにゲートウェイにセッション要求メッセージを送る。これは、ＰＤＮ接続を生成するためのセッション生成要求メッセージ、ＰＤＰコンテキストを確立するためのＰＤＰコンテキスト生成要求メッセージなどを送ることを含むことができる。さらに、セッション要求は、ＥＰＳ要求タイプなど、要求がＣＳＧプロビジョニングのためのものであることを示す識別子を含むことができる。パケットデータコンテキストに関する情報は、本明細書で説明するように、ＣＳＧプロビジョニングを実行するためにパケットデータコンテキスト上で通信することを可能にするためにデバイスに与えられ得る。さらに、他のゲートウェイへのアクセスは、デバイスが他の通信を許可することなしにプロビジョニングを実行することができることを保証するために非活動化され得る。
【００７１】
図５を参照すると、ＣＳＧプロビジョニングを要求するデバイスのためのパケットデータコンテキストを確立することを可能にする例示的な方法５００が表示されている。５０２において、デバイスにおいてＣＳＧプロビジョニングのためのパケットデータコンテキストを確立するためにゲートウェイにセッション要求メッセージを送る。説明したように、これは、デバイスのためのＰＤＮ接続、ＰＤＰコンテキストなどを確立するためのセッション生成要求メッセージ、ＰＤＰコンテキスト生成要求メッセージなどであり得る。説明したように、インジケータは、ＣＳＧプロビジョニングを示すためにセッション要求メッセージ中で指定され得る。さらに、セッション要求メッセージは、ＣＳＧプロビジョニングのためのデバイスからの要求に少なくとも部分的に基づいて送られ得る。５０４において、ＣＳＧプロビジョニングのためのパケットデータコンテキストの確立を示す応答メッセージをゲートウェイから受信する。同様に、応答メッセージは、セッション生成応答メッセージ、ＰＤＰコンテキスト生成応答メッセージなどであり得る。５０６において、ＣＳＧプロビジョニングを実行するために１つまたは複数のデータベアラを確立する。データベアラは、説明したように、パケットデータコンテキストのための要求に基づいてデバイスのために確立され得る。５０８において、１つまたは複数のデータベアラをパケットデータコンテキストに関連付ける。この点について、デバイスは、１つまたは複数のデータベアラ上でＣＳＧプロビジョニングに関係するデータを通信することができ、データは、説明したように、パケットデータコンテキスト上でゲートウェイに送られ得る。
【００７２】
図６を参照すると、ＣＳＧプロビジョニングのためのパケットデータコンテキストを管理するための例示的な方法６００が示されている。６０２において、ＣＳＧプロビジョニングを実行するためにデバイスのためのゲートウェイとのパケットデータコンテキストを確立する。説明したように、これは、ゲートウェイにセッション要求メッセージを送信すること、パケットデータコンテキストの確立を示す応答メッセージを受信することなどを含むことができる。６０４において、デバイスのＣＳＧサブスクリプション情報を受信する。たとえば、これは、説明したように、デバイスがパケットデータコンテキストを使用してＣＳＧプロビジョニングを実行することに少なくとも部分的に基づき得る。６０６において、ＣＳＧサブスクリプション情報を受信することに少なくとも部分的に基づいてパケットデータコンテキストを非活動化する。説明したように、ＣＳＧサブスクリプション情報を受信することは、パケットデータコンテキストがプロビジョニングのためにもはや必要とされないことを示すことができる。説明したように、別の例では、パケットデータコンテキストを非活動化することは、追加または代替としてタイマーに基づくことができる。
【００７３】
図７を参照すると、ＣＳＧプロビジョニングのためのパケットデータコンテキストを要求することを可能にする例示的な方法７００が表示されている。７０２において、ＣＳＧのプロビジョニングがサポートされるという指示を受信する。一例では、これは、ＭＭＥ、Ｈ（ｅ）ＮＢ、または他のノードに送られた登録または接続要求に応答し得る。７０４において、ＣＳＧプロビジョニングのための指示を含む、ＡＰＮについてのパケットデータコンテキストを確立したいという要求を送信する。説明したように、指示は、ＣＳＧプロビジョニング、ＥＰＳ要求タイプ、またはＣＳＧプロビジョニングを指定する他のパラメータなどを指定するＡＰＮであり得る。この点について、ＭＭＥ、ＳＧＳＮ、または同様のノードは、ＣＳＧプロビジョニングに関係するデータを送信するために使用され得るパケットデータコンテキストを確立することができる。
【００７４】
図８を参照すると、ＣＳＧプロビジョニングを許可するためにパケットをフィルタリングするための例示的な方法８００が示されている。８０２において、デバイスにおいてＣＳＧプロビジョニングのためのパケットデータコンテキストを確立するためにセッション要求メッセージを受信する。説明したセッション要求メッセージは、たとえば、セッション生成要求メッセージ、ＰＤＰコンテキスト生成要求メッセージなどであり得る。さらに、要求メッセージは、要求メッセージがＣＳＧプロビジョニングに関係することを指定するインジケータを含むことができる。８０４において、パケットデータコンテキストの確立を示す応答メッセージを送る。同様に、これは、セッション生成応答メッセージ、ＰＤＰコンテキスト生成応答メッセージなどであり得る。８０６において、パケットデータコンテキストに関係する１つまたは複数のパケットがプロビジョニングに関係するかどうかを判断することに少なくとも部分的に基づいて、１つまたは複数のパケットをフィルタリングする。説明したように、一例では、これは、１つまたは複数のパケットがＣＳＧアドミニストレーションサーバを対象とするかどうか（たとえば、宛先またはソースアドレスがＣＳＧアドミニストレーションサーバのためのものであるかどうか）を判断することを含むことができる。他のパケットは、たとえば、ブロックされ得る。さらに、たとえば、パケットデータコンテキストは、タイマー、ＣＳＧプロビジョニングの完了などに少なくとも部分的に基づいて非活動化され得る。
【００７５】
本明細書で説明する１つまたは複数の態様によれば、説明したように、インバンドプロビジョニングがＣＳＧにおいて許可されるかどうかを判断すること、１つまたは複数のパケットがＣＳＧプロビジョニングを対象とするかどうかを判断することなどに関して推論が行われ得ることを諒解されたい。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用され得、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、イベントが時間的に近接して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００７６】
図９は、インバンドＣＳＧプロビジョニングを要求することを可能にするモバイルデバイス９００の図である。モバイルデバイス９００は、たとえば受信アンテナ（図示せず）から信号を受信する受信機９０２を備え、受信信号に対して典型的な動作（たとえば、フィルタ処理、増幅、ダウンコンバートなど）を行い、サンプルを得るために調整された信号をデジタル化する。受信機９０２は、受信されたシンボルを復調し、チャネル推定のためにプロセッサ９０６に供給することができる復調器９０４を備えることができる。プロセッサ９０６は、受信機９０２によって受信された情報の分析および／または送信機９０８による送信のための情報の生成に専用のプロセッサ、モバイルデバイス９００の１つまたは複数の構成要素を制御するプロセッサ、ならびに／あるいは受信機９０２によって受信された情報の分析、送信機９０８による送信のための情報の生成、およびモバイルデバイス９００の１つまたは複数の構成要素の制御を行うプロセッサとすることができる。
【００７７】
モバイルデバイス９００は、さらに、メモリ９１０を備えることができ、メモリ９１０は、プロセッサ９０６に動作可能に結合され、送信すべきデータ、受信されたデータ、利用可能なチャネルに関係する情報、分析された信号および／または干渉強度に関連するデータ、割当てチャネル、電力、レートなどに関係する情報、ならびにチャネルを推定し、そのチャネルを介して通信するための他の適切な情報を記憶することができる。メモリ９１０は、さらに（たとえばパフォーマンスベース、容量ベースなどの）チャネルの推定および／または利用に関連するプロトコルおよび／またはアルゴリズムを記憶することができる。
【００７８】
本明細書で説明するデータストア（たとえばメモリ９１０）は、揮発性メモリもしくは不揮発性メモリとすることができ、または揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ９１０は、これらおよび他の適切なタイプのメモリを、それらに限定されることなく、備えるものとする。
【００７９】
プロセッサ９０６はさらに、随意に、プロビジョニングサポート判断構成要素２１４と同様のものであり得るプロビジョニングサポート判断構成要素９１２と、パケットデータコンテキスト要求構成要素２１６と同様のものであり得るパケットデータコンテキスト要求構成要素９１４とに動作可能に結合され得る。プロセッサ９０６はまた、随意に、ＣＳＧプロビジョニング構成要素２１８と同様のものであり得るＣＳＧプロビジョニング構成要素９１６と、ＣＳＧアクセス構成要素２２０と同様のものであり得るＣＳＧアクセス構成要素９１８とに動作可能に結合され得る。モバイルデバイス９００は、またさらに、送信機９０８によって、たとえば、基地局、別のモバイルデバイスなどに送信するために信号を変調する変調器９２０を備える。プロセッサ９０６とは別個のものとして図示されているが、プロビジョニングサポート判断構成要素９１２、パケットデータコンテキスト要求構成要素９１４、ＣＳＧプロビジョニング構成要素９１６、ＣＳＧアクセス構成要素９１８、復調器９０４、および／または変調器９２０は、プロセッサ９０６または複数のプロセッサ（図示せず）の一部とすることができることを諒解されたい。別の例では、プロビジョニングサポート判断構成要素９１２、パケットデータコンテキスト要求構成要素９１４、ＣＳＧプロビジョニング構成要素９１６、ＣＳＧアクセス構成要素９１８は、メモリ９１０に記憶された構成要素とすることができ、および／またはメモリ９１０に記憶された命令に従って（プロセッサ９０６によって）実行され得る。
【００８０】
図１０を参照すると、一態様では、ネットワークノード１０６、ＭＭＥ２０６および３０６、ゲートウェイ２０８および３０８、ＨＳＳ／ＨＬＲ２１０および３１０、ＣＳＧアドミニストレーションサーバ２１２および３１２など（たとえば、図１〜図３）のうちのいずれかをコンピュータデバイス１０００によって表すことができる。コンピュータデバイス１０００は、本明細書で説明する構成要素および機能のうちの１つまたは複数に関連する処理機能を実行するためのプロセッサ１００２を含む。プロセッサ１００２は、プロセッサまたはマルチコアプロセッサの単一または複数のセットを含むことができる。さらに、プロセッサ１００２は、統合処理システムおよび／または分散処理システムとして実装され得る。
【００８１】
コンピュータデバイス１０００は、プロセッサ１００２によって実行されているアプリケーションのローカルバージョンを記憶するなどのためのメモリ１００４をさらに含む。メモリ１００４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータが使用できる実質的にどんなタイプのメモリでも含むことができる。コンピュータデバイス１０００は、メモリ１００４に記憶され得る、（たとえば、メモリ１００４に記憶された命令に基づいて）プロセッサ１００２によって実行され得る、１つまたは複数のプロセッサ１００２内に実装され得るなどの１つまたは複数の構成要素１００６〜１０２８をも含む。
【００８２】
さらに、コンピュータデバイス１０００は、本明細書で説明するように、ハードウェア、ソフトウェア、およびサービスを利用して、１つまたは複数の相手との通信を確立し、維持することを行う通信構成要素１００６を含む。通信構成要素１００６は、コンピュータデバイス１０００上の構成要素間、ならびにコンピュータデバイス１０００と、通信ネットワーク上に位置するデバイス、および／またはコンピュータデバイス１０００に直列またはローカルに接続されたデバイスなどの外部デバイスとの間の通信を伝えることができる。たとえば、通信構成要素１００６は、１つまたは複数のバスを含み得、それぞれ送信機および受信機に関連する、外部デバイスとインターフェースするように動作可能な送信チェーン構成要素および受信チェーン構成要素をさらに含み得る。
【００８３】
さらに、コンピュータデバイス１０００は、データストア１００８をさらに含むことができ、データストア１００８は、本明細書で説明する態様に関連して採用される情報、データベース、およびプログラムの大容量記憶を与えるハードウェアおよび／またはソフトウェアの任意の適切な組合せとすることができる。たとえば、データストア１００８は、プロセッサ１００２によって現在実行されていないアプリケーションのためのデータリポジトリであり得る。
【００８４】
コンピュータデバイス１０００は、随意に、コンピュータデバイス１０００のユーザから入力を受信するように動作可能であり、ユーザへの提示のための出力を生成するようにさらに動作可能なインターフェース構成要素１０１０を含み得る。インターフェース構成要素１０１０は、限定はしないが、キーボード、テンキー、マウス、タッチセンシティブディスプレイ、ナビゲーションキー、ファンクションキー、マイクロフォン、音声認識構成要素、ユーザから入力を受信することが可能な他の機構、またはそれらの任意の組合せを含む、１つまたは複数の入力デバイスを含み得る。さらに、インターフェース構成要素１０１０は、限定はしないが、ディスプレイ、スピーカー、触覚フィードバック機構、プリンタ、出力をユーザに提示することが可能な他の機構、またはそれらの任意の組合せを含む、１つまたは複数の出力デバイスを含み得る。別の例では、インターフェース構成要素１０１０は、コンピュータデバイス１０００上の機能を実行するために、１つまたは複数のデバイスによってアクセスされ得るアプリケーションプログラミングインターフェース（ＡＰＩ：application programming interface）とすることができる。
【００８５】
さらに、図示された例では、コンピュータデバイス１０００は、随意に、プロビジョニングサポート指示構成要素２２２と同様のものであり得るプロビジョニングサポート指示構成要素１０１２、ゲートウェイ選択構成要素２２４と同様のものであり得るゲートウェイ選択構成要素１０１４、ＣＳＧサブスクリプション構成要素２２８と同様のものであり得るＣＳＧサブスクリプション構成要素１０１６、ならびに／あるいはパケットデータコンテキスト確立構成要素２２６および／または２３０と同様のものであり得るパケットデータコンテキスト確立構成要素１０１８のうちの１つまたは複数を含むことができる。さらに、コンピュータデバイス１０００は、随意に、パケットフィルタリング構成要素２３２と同様のものであり得るパケットフィルタリング構成要素１０２０ＣＳＧ更新受信構成要素２３４と同様のものであり得るＣＳＧ更新受信構成要素１０２２、加入者データ更新構成要素２３６と同様のものであり得る加入者データ更新構成要素１０２４、ＣＳＧプロビジョニング構成要素２３８と同様のものであり得るＣＳＧプロビジョニング構成要素１０２６、および／またはＣＳＧサブスクリプション更新構成要素２４０と同様のものであり得るＣＳＧサブスクリプション更新構成要素１０２８のうちの１つまたは複数を含むことができる。したがって、これらの構成要素１０１２、１０１４、１０１６、１０１８、１０２０、１０２２、１０２４、１０２６、および／または１０２８は、説明したように、これらの構成要素に関連する命令を実行するためのプロセッサ１００２、これらの構成要素に関連する情報を記憶するためのメモリ１００４、通信を実行するための通信構成要素１００６などを利用することができる。さらに、コンピュータデバイス１０００が、本明細書で説明する追加または代替の構成要素を含むことができることを諒解されたい。
【００８６】
図１１を参照すると、ＣＳＧプロビジョニングを要求するためのパケットデータコンテキストを確立するシステム１１００が示されている。たとえば、システム１１００は、少なくとも部分的にＭＭＥなどの内に常駐することができる。システム１１００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１１００は、連携して動作することができる電気構成要素の論理グルーピング１１０２を含む。たとえば、論理グルーピング１１０２は、ＡＰＮのためのパケットデータコンテキストを確立したいというデバイスからの要求に基づいてデバイスがＣＳＧプロビジョニングを要求していると判断するための電気構成要素１１０４を含むことができる。説明したように、電気構成要素１１０４は、要求中のインジケータに少なくとも部分的に基づく、ＡＰＮがＣＳＧプロビジョニングに対応すると判断することに少なくとも部分的に基づくなどしてそのように判断することができる。さらに、パケットデータコンテキストは、説明したように、ＰＤＰコンテキスト、ＰＤＮ接続などに関係することができる。さらに、論理グルーピング１１０２は、ＡＰＮに少なくとも部分的に基づいてパケットデータコンテキストを確立するためのゲートウェイを選択するための電気構成要素１１０６を備えることができる。
【００８７】
説明したように、たとえば、電気構成要素１１０６は、ＡＰＮに基づく選択機能に従ってゲートウェイを選択すること、要求中の明示的インジケータからゲートウェイを判断することなどができる。さらに、ゲートウェイを選択することは、（たとえば、受信したゲートウェイ識別子のＤＮＳ探索などに基づいて）ゲートウェイのＩＰアドレスを判断することを含むことができる。さらに、論理グルーピング１１０２は、デバイスのためのパケットデータコンテキストを確立するためにゲートウェイにセッション要求メッセージを送るための電気構成要素１１０８を含むことができる。説明したように、セッション要求メッセージは、セッション生成要求メッセージ、ＰＤＰコンテキスト生成メッセージなどとすることができる。たとえば、電気構成要素１１０４は、上記で説明したように、プロビジョニングサポート判断構成要素２１４を含むことができる。さらに、たとえば、電気構成要素１１０６は、上記で説明したように、一態様では、パケットデータコンテキスト要求構成要素２１６を含むことができる。さらに、電気構成要素１１０８は、説明したように、一態様では、ＣＳＧプロビジョニング構成要素２１８を含むことができる。さらに、システム１１００は、電気構成要素１１０４、１１０６、および１１０８に関連する機能を実行するための命令を保持するメモリ１１１０を含むことができる。メモリ１１１０の外部にあるものとして示されているが、電気構成要素１１０４、１１０６、および１１０８のうちの１つまたは複数は、メモリ１１１０の内部に存在することができることを理解されたい。
【００８８】
一例では、電気構成要素１１０４、１１０６、および１１０８は、少なくとも１つのプロセッサを備えることができるか、または、各電気構成要素１１０４、１１０６、および１１０８は、少なくとも１つのプロセッサの対応するモジュールとすることができる。さらに、追加または代替の例では、電気構成要素１１０４、１１０６、および１１０８は、コンピュータ可読媒体を備えるコンピュータプログラム製品とすることができ、各電気構成要素１１０４、１１０６、および１１０８は、対応するコードとすることができる。
【００８９】
図１２を参照すると、ＣＳＧプロビジョニングを要求するためのパケットデータコンテキストを確立するシステム１２００が示されている。たとえば、システム１２００は、少なくとも部分的にモバイルデバイスなどの内に常駐することができる。システム１２００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１２００は、連携して動作することができる電気構成要素の論理グルーピング１２０２を含む。たとえば、論理グルーピング１２０２は、ＣＳＧのプロビジョニングがサポートされるという指示を受信するための電気構成要素１２０４を含むことができる。説明したように、これは、一例では、上記のことを指示する登録または接続要求への応答を受信することを含むことができる。
【００９０】
さらに、論理グルーピング１２０２は、ＣＳＧプロビジョニングのための指示を含むＡＰＮのためのパケットデータコンテキストを確立したいという要求を送信するための電気構成要素１２０６を備えることができる。説明したように、たとえば、要求は、ＣＳＧプロビジョニングを指定することができるＡＰＮ、ＥＰＳ要求タイプ、またはＣＳＧプロビジョニングを指定する他のパラメータなどとすることができる。説明したように、パケットデータコンテキストが確立されると、ＣＳＧプロビジョニングは、ＣＳＧアドミニストレーションサーバまたは他のネットワークノードと通信するためのコンテキストを使用して要求され得る。たとえば、電気構成要素１２０４は、上記で説明したように、プロビジョニングサポート判断構成要素２１４を含むことができる。さらに、たとえば、電気構成要素１２０６は、上記で説明したように、一態様では、パケットデータコンテキスト要求構成要素２１６を含むことができる。さらに、システム１２００は、電気構成要素１２０４および１２０６に関連する機能を実行するための命令を保持するメモリ１２０８を含むことができる。メモリ１２０８の外部にあるものとして示されているが、電気構成要素１２０４および１２０６のうちの１つまたは複数は、メモリ１２０８の内部に存在することができることを理解されたい。
【００９１】
一例では、電気構成要素１２０４および１２０６は、少なくとも１つのプロセッサを備えることができるか、または、各電気構成要素１２０４および１２０６は、少なくとも１つのプロセッサの対応するモジュールとすることができる。さらに、追加または代替の例では、電気構成要素１２０４および１２０６は、コンピュータ可読媒体を備えるコンピュータプログラム製品とすることができ、各電気構成要素１２０４および１２０６は、対応するコードとすることができる。
【００９２】
図１３を参照すると、パケットがＣＳＧプロビジョニングに関係するかどうかに基づいてパケットをフィルタリングするシステム１３００が示されている。たとえば、システム１３００は、少なくとも部分的にゲートウェイなどの内に常駐することができる。システム１３００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１３００は、連携して動作することができる電気構成要素の論理グルーピング１３０２を含む。たとえば、論理グルーピング１３０２は、デバイスにおいてＣＳＧプロビジョニングのためのパケットデータコンテキストを確立するためにセッション要求メッセージを受信し、パケットデータコンテキストの確立を示す応答メッセージを送るための電気構成要素１３０４を含むことができる。説明したように、パケットデータコンテキストは、ＰＤＰコンテキスト、ＰＤＮ接続などに関係することができ、したがって、セッション要求メッセージは、セッション生成要求メッセージ、ＰＤＰコンテキスト生成要求メッセージなどであり得、応答メッセージは、セッション生成応答メッセージ、ＰＤＰコンテキスト生成応答メッセージなどとすることができる。
【００９３】
さらに、論理グルーピング１３０２は、パケットデータコンテキストに関係する１つまたは複数のパケットがＣＳＧプロビジョニングに関係するかどうかを判断することに少なくとも部分的に基づいて、１つまたは複数のパケットをフィルタリングするための電気構成要素１３０６を備えることができる。説明したように、たとえば、電気構成要素１３０６は、（たとえば、パケット中のアドレスに基づいて）１つまたは複数のパケットがＣＳＧアドミニストレーションサーバを対象とするか、それから受信したかどうか、１つまたは複数のパケットが特定のタイプのものであるかどうかなどを判断することができる。たとえば、一態様では、電気構成要素１３０４は、上記で説明したように、パケットデータコンテキスト確立構成要素２３０を含むことができる。さらに、たとえば、電気構成要素１３０６は、上記で説明したように、一態様では、パケットフィルタリング要求構成要素２３２を含むことができる。さらに、システム１３００は、電気構成要素１３０４および１３０６に関連する機能を実行するための命令を保持するメモリ１３０８を含むことができる。メモリ１３０８の外部にあるものとして示されているが、電気構成要素１３０４および１３０６のうちの１つまたは複数は、メモリ１３０８の内部に存在することができることを理解されたい。
【００９４】
一例では、電気構成要素１３０４および１３０６は、少なくとも１つのプロセッサを備えることができるか、または、各電気構成要素１３０４および１３０６は、少なくとも１つのプロセッサの対応するモジュールとすることができる。さらに、追加または代替の例では、電気構成要素１３０４および１３０６は、コンピュータ可読媒体を備えるコンピュータプログラム製品とすることができ、各電気構成要素１３０４および１３０６は、対応するコードとすることができる。
【００９５】
次に図１４を参照すると、本明細書で提示する様々な実施形態によるワイヤレス通信システム１４００が示されている。システム１４００は、複数のアンテナグループを含むことができる基地局１４０２を備える。たとえば、１つのアンテナグループはアンテナ１４０４および１４０６を含み、別のグループはアンテナ１４０８および１４１０を備え、さらなるグループはアンテナ１４１２および１４１４を含むことができる。アンテナグループごとに２つのアンテナが示されているが、グループごとにより多いまたはより少ないアンテナが利用され得る。基地局１４０２は、さらに、送信機チェーンおよび受信機チェーンを含むことができ、送信機チェーンおよび受信機チェーンの各々は、諒解されるように、信号送信および受信に関連する複数の構成要素（たとえば、プロセッサ、変調器、マルチプレクサ、復調器、デマルチプレクサ、アンテナなど）を備えることができる。
【００９６】
基地局１４０２は、モバイルデバイス１４１６およびモバイルデバイス１４２２など１つまたは複数のモバイルデバイスと通信することができるが、基地局１４０２は、モバイルデバイス１４１６および１４２２と同様の実質的にいかなる数のモバイルデバイスとも通信することができることを諒解されたい。モバイルデバイス１４１６および１４２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１４００を介して通信するための他の適切なデバイスとすることができる。図示のように、モバイルデバイス１４１６は、アンテナ１４１２および１４１４と通信しており、アンテナ１４１２および１４１４は、順方向リンク１４１８を介して情報をモバイルデバイス１４１６に送信し、逆方向リンク１４２０を介してモバイルデバイス１４１６から情報を受信する。さらに、モバイルデバイス１４２２は、アンテナ１４０４および１４０６と通信しており、アンテナ１４０４および１４０６は、順方向リンク１４２４を介して情報をモバイルデバイス１４２２に送信し、逆方向リンク１４２６を介してモバイルデバイス１４２２から情報を受信する。周波数分割複信（ＦＤＤ）システムでは、たとえば、順方向リンク１４１８は、逆方向リンク１４２０によって使用される周波数帯域とは異なる周波数帯域を利用し、順方向リンク１４２４は、逆方向リンク１４２６によって採用される周波数帯域とは異なる周波数帯域を採用することができる。さらに、時分割複信（ＴＤＤ）システムでは、順方向リンク１４１８および逆方向リンク１４２０は共通の周波数帯域を利用し、順方向リンク１４２４および逆方向リンク１４２６は共通の周波数帯域を利用することができる。
【００９７】
アンテナの各グループおよび／またはそれらが通信するように指定されたエリアは、基地局１４０２のセクタと呼ばれることがある。たとえば、アンテナグループは、基地局１４０２によってカバーされるエリアのセクタ中のモバイルデバイスに通信するように設計され得る。順方向リンク１４１８および１４２４を介した通信では、基地局１４０２の送信アンテナは、モバイルデバイス１４１６および１４２２についての順方向リンク１４１８および１４２４の信号対雑音比を向上させるためにビームフォーミングを利用することができる。さらに、基地局１４０２が、関連するカバレージ中に不規則に散在するモバイルデバイス１４１６および１４２２に送信するためにビームフォーミングを利用する間は、基地局が単一のアンテナを介してその基地局のすべてのモバイルデバイスに送信する場合と比較して、隣接セル内のモバイルデバイスは干渉を受けにくい。さらに、モバイルデバイス１４１６および１４２２は、図示のようにピアツーピアまたはアドホック技術を使用して互いに直接通信することができる。一例によれば、システム１４００は多入力多出力（ＭＩＭＯ）通信システムとすることができる。
【００９８】
図１５に、例示的なワイヤレス通信システム１５００を示す。ワイヤレス通信システム１５００には、簡潔のために、１つの基地局１５１０と、１つのモバイルデバイス１５５０とを示してある。ただし、システム１５００は、２つ以上の基地局および／または２つ以上のモバイルデバイスを含むことができ、追加の基地局および／またはモバイルデバイスは、以下で説明する例示的な基地局１５１０およびモバイルデバイス１５５０と実質的に同様または異なるものとすることができることを諒解されたい。さらに、基地局１５１０および／またはモバイルデバイス１５５０は、それらの間のワイヤレス通信を可能にするために、本明細書で説明するシステム（図１〜図３および図１１〜図１４）、モバイルデバイス（図９）、コンピュータデバイス（図１０）、および／または方法（図４〜図８）を採用することができることを諒解されたい。たとえば、本明細書で説明するシステムおよび／または方法の構成要素または機能は、以下で説明するメモリ１５３２および／または１５７２あるいはプロセッサ１５３０および／または１５７０の一部とすることができ、ならびに／あるいは開示する機能を実行するためにプロセッサ１５３０および／または１５７０によって実行され得る。
【００９９】
基地局１５１０において、いくつかのデータストリームのトラフィックデータがデータソース１５１２から送信（ＴＸ）データプロセッサ１５１４に供給される。一例によれば、各データストリームはそれぞれのアンテナを介して送信され得る。ＴＸデータプロセッサ１５１４は、トラフィックデータストリーム用に選択された特定の符号化方式に基づいて、そのデータストリームをフォーマット化し、符号化し、インターリーブして、符号化データを供給する。
【０１００】
各データストリームの符号化データは、直交周波数分割多重（ＯＦＤＭ）技法を使用してパイロットデータで多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される、知られているデータパターンであり、チャネル応答を推定するためにモバイルデバイス１５５０において使用され得る。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータレート、符号化、および変調は、プロセッサ１５３０によって実行または与えられる命令によって判断され得る。
【０１０１】
データストリームの変調シンボルはＴＸ  ＭＩＭＯプロセッサ１５２０に供給され、ＴＸ  ＭＩＭＯプロセッサ２２０は、（たとえば、ＯＦＤＭ用に）変調シンボルをさらに処理することができる。次いで、ＴＸ  ＭＩＭＯプロセッサ１５２０はＮＴ個の変調シンボルストリームをＮＴ個の送信機（ＴＭＴＲ）１５２２ａ〜１５２２ｔに供給する。様々な実施形態では、ＴＸ  ＭＩＭＯプロセッサ１５２０は、データストリームのシンボルと、シンボルの送信元のアンテナとにビームフォーミング重みを適用する。
【０１０２】
各送信機１５２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機１５２２ａ〜１５２２ｔからのＮＴ個の変調信号は、それぞれＮＴ個のアンテナ１５２４ａ〜１５２４ｔから送信される。
【０１０３】
モバイルデバイス１５５０において、送信された被変調信号はＮＲ個のアンテナ１５５２ａ〜１５５２ｒによって受信され、各アンテナ１５５２からの受信信号は、それぞれの受信機（ＲＣＶＲ）１５５４ａ〜１５５４ｒに供給される。各受信機１５５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【０１０４】
ＲＸデータプロセッサ１５６０は、ＮＲ個の受信機１５５４からＮＲ個の受信シンボルストリームを受信し、特定の受信機処理技法に基づいて処理して、ＮＴ個の「検出」シンボルストリームを供給することができる。ＲＸデータプロセッサ１５６０は、各検出シンボルストリームを復調し、デインタリーブし、復号して、データストリームのトラフィックデータを復元することができる。ＲＸデータプロセッサ１５６０による処理は、基地局１５１０においてＴＸ  ＭＩＭＯプロセッサ１５２０およびＴＸデータプロセッサ１５１４によって実行される処理を補足するものである。
【０１０５】
逆方向リンクメッセージは、通信リンクおよび／または受信データストリームに関する様々なタイプの情報を備えることができる。逆方向リンクメッセージは、データソース１５３８からいくつかのデータストリームのトラフィックデータをも受信するＴＸデータプロセッサ１５３６によって処理され、変調器１５８０によって変調され、送信機１５５４ａ〜１５５４ｒによって調整され、基地局１５１０に戻される。
【０１０６】
基地局１５１０において、モバイルデバイス１５５０からの変調信号は、アンテナ１５２４によって受信され、受信機１５２２によって調整され、復調器１５４０によって復調され、ＲＸデータプロセッサ１５４２によって処理されて、モバイルデバイス１５５０によって送信された逆方向リンクメッセージが抽出される。さらに、プロセッサ１５３０は、抽出されたメッセージを処理して、ビームフォーミング重みを判断するためにどのプリコーディング行列を使用すべきかを判断することができる。
【０１０７】
プロセッサ１５３０および１５７０は、それぞれ基地局１５１０およびモバイルデバイス１５５０における動作を指示（たとえば、制御、調整、管理など）することができる。それぞれのプロセッサ１５３０および１５７０は、プログラムコードおよびデータを記憶するメモリ１５３２および１５７２に関連し得る。プロセッサ１５３０および１５７０はまた、それぞれ、アップリンクとダウンリンクとに関して周波数推定値とインパルス応答推定値とを導出するために計算を実行することができる。
【０１０８】
図１６に、本明細書の教示が実装され得る、何人かのユーザをサポートするように構成されたワイヤレス通信システム１６００を示す。システム１６００は、たとえば、マクロセル１６０２Ａ〜１６０２Ｇなど、複数のセル１６０２の通信を可能にし、各セルは、対応するアクセスノード１６０４（たとえば、アクセスノード１６０４Ａ〜１６０４Ｇ）によってサービスされる。図１６に示すように、アクセス端末１６０６（たとえば、アクセス端末１６０６Ａ〜１６０６Ｌ）は、時間とともにシステム全体にわたって様々なロケーションに分散され得る。各アクセス端末１６０６は、たとえば、アクセス端末１６０４がアクティブかどうか、およびアクセス端末１６０６がソフトハンドオフ中かどうかに応じて、所与の瞬間に順方向リンク（ＦＬ）および／または逆方向リンク（ＲＬ）上で１つまたは複数のアクセスノード３０４と通信することができる。ワイヤレス通信システム１６００は広い地理的領域にわたってサービスを提供することができる。
【０１０９】
図１７に、１つまたは複数のフェムトノードがネットワーク環境内に展開された例示的な通信システム１７００を示す。特に、システム１７００は、比較的小規模のネットワーク環境中に（たとえば、１つまたは複数のユーザ住居１７３０中に）設置された複数のフェムトノード１７１０Ａおよび１７１０Ｂ（たとえば、フェムトセルノードまたはＨ（ｅ）ＮＢ）を含む。各フェムトノード１７１０は、デジタル加入者回線（ＤＳＬ）ルータ、ケーブルモデム、ワイヤレスリンク、または他の接続手段（図示せず）を介して、ワイドエリアネットワーク１７４０（たとえば、インターネット）とモバイル事業者コアネットワーク１７５０とに結合され得る。以下で説明するように、各フェムトノード１７１０は、関連するアクセス端末１７２０（たとえば、アクセス端末１７２０Ａ）、および、随意に、外来アクセス端末１７２０（たとえば、アクセス端末１７２０Ｂ）をサービスするように構成され得る。言い換えれば、フェムトノード１７１０へのアクセスは、所与のアクセス端末１７２０が、指定された（１つまたは複数の）（たとえば、ホーム）フェムトノード１７１０のセットによってサービスされ得るが、指定されていないフェムトノード１７１０（たとえば、ネイバーのフェムトノード）によってはサービスされ得ないように制限され得る。
【０１１０】
図１８に、いくつかのトラッキングエリア１８０２（またはルーティングエリアまたはロケーションエリア）が画定されたカバレージマップ１８００の例を示し、そのエリアの各々はいくつかのマクロカバレージエリア１８０４を含む。ここで、トラッキングエリア１８０２Ａ、１８０２Ｂ、および１８０２Ｃに関連するカバレージのエリアは太線によって示され、マクロカバレージエリア１８０４は六角形によって表される。トラッキングエリア１８０２はフェムトカバレージエリア１８０６をも含む。この例では、フェムトカバレージエリア１８０６（たとえば、フェムトカバレージエリア１８０６Ｃ）の各々は、マクロカバレージエリア１８０４（たとえば、マクロカバレージエリア１８０４Ｂ）内に示される。ただし、フェムトカバレージエリア１８０６は、完全にマクロカバレージエリア１８０４内にあるわけではないことを諒解されたい。実際には、多数のフェムトカバレージエリア１８０６が所与のトラッキングエリア１８０２またはマクロカバレージエリア１８０４とともに画定され得る。また、１つまたは複数のピコカバレージエリア（図示せず）が所与の追跡エリア１８０２またはマクロカバレージエリア１８０４内に画定され得る。
【０１１１】
再び図１７を参照すると、フェムトノード１７１０の所有者は、たとえば、３Ｇモバイルサービスなど、モバイル事業者コアネットワーク１７５０を介して提供されるモバイルサービスに加入することができる。さらに、アクセス端末１７２０は、マクロ環境と、より小規模の（たとえば、宅内）ネットワーク環境の両方で動作することが可能であり得る。したがって、たとえば、アクセス端末１７２０の現在ロケーションに応じて、アクセス端末１７２０は、アクセスノード１７６０によって、または、フェムトノード１７１０のセットのうちのいずれか１つ（たとえば、対応するユーザ住居１７３０内に常駐するフェムトノード１７１０Ａおよび１７１０Ｂ）によってサービスされ得る。たとえば、加入者は、自宅の外にいるときは標準のマクロセルアクセスノード（たとえば、ノード１７６０）によってサービスされ、自宅にいるときはフェムトノード（たとえば、ノード１７１０Ａ）によってサービスされる。ここで、フェムトノード１７１０は既存のアクセス端末１７２０と後方互換性があり得ることを諒解されたい。
【０１１２】
フェムトノード１７１０は、単一の周波数上に展開され、または代替として、複数の周波数上に展開され得る。特定の構成に応じて、単一の周波数、あるいは複数の周波数のうちの１つまたは複数は、マクロセルアクセスノード（たとえば、ノード１７６０）によって使用される１つまたは複数の周波数と重複することがある。いくつかの態様では、アクセス端末１７２０は、そのような接続性が可能であるときはいつでも、好ましいフェムトノード（たとえば、アクセス端末１７２０のホームフェムトノード）に接続するように構成され得る。たとえば、アクセス端末１７２０は、ユーザの住居１７３０内にあるときはいつでも、ホームフェムトノード１７１０と通信することができる。
【０１１３】
いくつかの態様では、アクセス端末１７２０がモバイル事業者コアネットワーク１７５０内で動作しているが、（たとえば、好適ローミングリスト中で定義された）その最も好適なネットワーク上に常駐していない場合、アクセス端末１７２０は、ベターシステムリセレクション（ＢＳＲ：Better System Reselection）を使用して、最も好適なネットワーク（たとえば、フェムトノード１７１０）を探索し続けることができ、ベターシステムリセレクションでは、より良好なシステムが現在利用可能であるかどうかを判断するために利用可能なシステムの周期的スキャニングを行い、その後、そのような好適なシステムに関連付けようとすることができる。（たとえば、好適ローミングリスト中の）収集テーブルエントリを使用して、一例では、アクセス端末１７２０は、特定の帯域およびチャネルについて探索を制限することができる。たとえば、最も好適なシステムの探索が周期的に繰り返され得る。フェムトノード１７１０など好適なフェムトノードが発見されると、アクセス端末１７２０は、そのカバレージエリア内にキャンプするためのフェムトノード１７１０を選択する。
【０１１４】
フェムトノードは、いくつかの態様では、制限され得る。たとえば、所与のフェムトノードが、いくつかのサービスをいくつかのアクセス端末のみに提供し得る。いわゆる制限（または限定）された関連付けを用いた展開では、所与のアクセス端末が、マクロセルモバイルネットワークと、フェムトノードの定義されたセット（たとえば、対応するユーザ住居１７３０内に常駐するフェムトノード１７１０）とのみによってサービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【０１１５】
いくつかの態様では、（限定加入者グループＨ（ｅ）ＮＢと呼ばれることもある）制限されたフェムトノードが、アクセス端末の制限されたプロビジョニングされたセットにサービスを提供するノードである。このセットは、必要に応じて一時的にまたは永続的に拡大され得る。いくつかの態様では、限定加入者グループ（ＣＳＧ）が、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【０１１６】
したがって、所与のフェムトノードと所与のアクセス端末との間に様々な関係が存在することがある。たとえば、アクセス端末の観点から、オープンフェムトノードが、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスするかまたはその上で動作することを一時的に許可されるフェムトノードを指すことがある。外来フェムトノードは、おそらく非常事態（たとえば、９１１番）を除いて、アクセス端末がアクセスまたはその上で動作することを許可されないフェムトノードを指すことがある。
【０１１７】
制限フェムトノードの観点から、ホームアクセス端末は、制限されたフェムトノードへのアクセスを許可されるアクセス端末を指すことがある。ゲストアクセス端末は、制限されたフェムトノードへの一時的アクセスをもつアクセス端末を指すことがある。外来アクセス端末は、おそらく非常事態、たとえば、９１１番を除いて、制限されたフェムトノードにアクセスする許可を有しないアクセス端末（たとえば、制限されたフェムトノードに登録するための証明書または許可を有しないアクセス端末）を指すことがある。
【０１１８】
便宜のために、本明細書の開示では、フェムトノードの文脈で様々な機能について説明する。ただし、ピコノードは、フェムトノードと同じまたは同様の機能をより大きいカバレージエリアに提供することができることを諒解されたい。たとえば、所与のアクセス端末に対して、ピコノードを制限すること、ホームピコノードを定義することなどが行われ得る。
【０１１９】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力システム、ＭＩＭＯシステム、または何らかの他のタイプのシステムを介して確立され得る。
【０１２０】
本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサとすることができるが、代替として、プロセッサは任意の従来のプロセッサ、コントローラ、マイクロコントローラ、または状態機械とすることができる。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末内に個別構成要素として常駐し得る。
【０１２１】
１つまたは複数の態様では、説明した機能、方法またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１２２】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段に記載されていない限り、任意の他の態様および／または実施形態の全部または一部とともに利用され得る。
【図１】
2013520093.tif 000004
【図２】
2013520093.tif 000005
【図３】
2013520093.tif 000006
【図４】
2013520093.tif 000007
【図５】
2013520093.tif 000008
【図６】
2013520093.tif 000009
【図７】
2013520093.tif 000010
【図８】
2013520093.tif 000011
【図９】
2013520093.tif 000012
【図１０】
2013520093.tif 000013
【図１１】
2013520093.tif 000014
【図１２】
2013520093.tif 000015
【図１３】
2013520093.tif 000016
【図１４】
2013520093.tif 000017
【図１５】
2013520093.tif 000018
【図１６】
2013520093.tif 000019
【図１７】
2013520093.tif 000020
【図１８】
2013520093.tif 000021
【国際調査報告】
2013520093.tif 000022
2013520093.tif 000023
2013520093.tif 000024
2013520093.tif 000025
2013520093.tif 000026
2013520093.tif 000027
2013520093.tif 000028